(57)【要約】      （修正有）【課題】Ｐ−ＳＣＨ（一次同期チャネル）関連のスクランブルコードを利用して、二次同期符号化を提供する。【解決手段】スクランブルされたＳＳＣ（二次同期コード）が、ＲＡＮ（無線アクセス網）の複数の基地局に割り当てられることが可能である。ＰＳＣベースのスクランブルコードが、共通の多項式から生成された複数のＭ系列から作成されることが可能である。さらに、ＳＳＣを生成するための系列行列の系列ペアを選択するＳＳＣコードブックが、提供され、もたらされるＳＳＣの伝送特性に基づき、計画的な移動体展開、半計画的な移動体展開、および／または無計画の移動体展開において、より小さいしか干渉をもたらさない。【選択図】図９
2014150553.tif 000002
【特許請求の範囲】
【請求項１】
無線通信のためのＳＳＣ（二次同期コード）を生成するための方法であって、
基本Ｍ系列、および前記基本Ｍ系列の巡回シフトされた変化系列から系列行列を生成すること、
前記系列行列の少なくとも１つのＭ系列を、前記無線通信に関連するＰＳＣ（一次同期コード）に基づく共通のバイナリスクランブルコードでスクランブルすること、
前記少なくとも１つのスクランブルされたＭ系列に基づいてＳＳＣを生成すること、および
前記ＳＳＣを、ＯＦＤＭ（直交周波数分割多重）伝送の副搬送波チャネル上にマップすることを備える方法。
【請求項２】
長さ６２の系列にそれぞれ切り捨てられた複数の長さ６３のＭ系列を使用すること、または
長さ６２の系列を形成するようにそれぞれ繰り返される複数の長さ３１のＭ系列を使用することの少なくともいずれかによって前記共通のバイナリスクランブルコードを生成することをさらに備える請求項１に記載の方法。
【請求項３】
共通の多項式から生成された１つまたは複数のＭ系列から前記スクランブルコードを生成することをさらに備える請求項１に記載の方法。
【請求項４】
異なる多項式から前記スクランブルコードＭ系列を生成することをさらに備える請求項１に記載の方法。
【請求項５】
前記１つまたは複数の系列から基本スクランブル系列を生成すること、
前記基本スクランブル系列から巡回シフトされた系列のセットを定義すること、および
前記共通のバイナリスクランブルコードを形成するように前記基本スクランブル系列から複数の異なるスクランブルコードを選択することをさらに備える請求項３に記載の方法。
【請求項６】
巡回シフトされた系列の前記セットを定義することは、前記基本スクランブル系列に加えて、少なくとも２０個の巡回シフトされた系列を生成することをさらに備える請求項５に記載の方法。
【請求項７】
前記３つの異なるスクランブルコードを選択することは、前記基本スクランブル系列、第１０の巡回シフトされた系列、および第２０の巡回シフトされた系列を選択することをさらに備える請求項５に記載の方法。
【請求項８】
前記ＳＳＣを生成することは、
前記系列行列から２つのＭ系列を選択すること、
長さ６２の系列を形成するように前記選択されたＭ系列をインタリーブすること、および
前記長さ６２の系列に前記共通のバイナリスクランブルコードを適用することをさらに備える請求項１に記載の方法。
【請求項９】
前記ＳＳＣを生成することは、
前記系列行列から２つのＭ系列を選択すること、
前記選択されたＭ系列に前記共通のバイナリスクランブルコードを適用して２つのスクランブルされたＭ系列を獲得すること、および
長さ６２の系列を形成するように前記２つのスクランブルされたＭ系列をインタリーブすることをさらに備える請求項１に記載の方法。
【請求項１０】
前記系列行列を生成することは、前記基本Ｍ系列に前記共通のバイナリスクランブルコードを適用して、前記少なくとも１つのスクランブルされたＭ系列をもたらすことをさらに備える請求項１に記載の方法。
【請求項１１】
前記ＳＳＣを生成することは、
前記スクランブルされた基本Ｍ系列に２つの異なる巡回シフトを適用して、２つのスクランブルされたＭ系列を生成すること、および
長さ６２の系列を形成するように前記２つのスクランブルされたＭ系列をインタリーブすることをさらに備える請求項１０に記載の方法。
【請求項１２】
無線通信のためのＳＳＣを生成するための装置であって、
基本Ｍ系列、および前記基本Ｍ系列の巡回シフトされた変化系列から系列行列を生成する論理プロセッサと、
前記行列の少なくとも１つの系列を、前記無線通信に関連するＰＳＣに基づく共通のバイナリスクランブルコードでスクランブルするデータ変換モジュールと、
前記少なくとも１つのスクランブルされた系列に基づいてＳＳＣを生成する多重化モジュールと、
前記ＳＳＣを、ＯＦＤＭ伝送の副搬送波チャネル上にマップする伝送プロセッサとを備える装置。
【請求項１３】
共通の多項式から導き出された系列から前記スクランブルコードを生成する系列モジュールをさらに備える請求項１２に記載の装置。
【請求項１４】
前記系列モジュールは、長さ６２の系列にそれぞれ切り捨てられた複数の長さ６３のＭ系列、または長さ６２の系列を形成するようにそれぞれ繰り返される複数の長さ３１のＭ系列の少なくともいずれかから前記スクランブルコードを生成する請求項１３に記載の装置。
【請求項１５】
前記論理プロセッサは、前記共通の多項式とは異なる多項式から前記基本Ｍ系列を導き出す請求項１３に記載の装置。
【請求項１６】
前記系列モジュールは、前記導き出された系列から基本スクランブル系列を生成し、前記基本スクランブル系列から巡回シフトされた系列のセットを定義し、さらに前記共通のバイナリスクランブルコードを形成するように複数の異なるスクランブルコードを、前記基本スクランブル系列から選択する請求項１３に記載の装置。
【請求項１７】
前記系列モジュールは、前記基本スクランブル系列に加えて、巡回シフトされた系列の前記セットを定義する少なくとも２０個の巡回シフトされた系列を生成する請求項１６に記載の装置。
【請求項１８】
前記３つの異なるスクランブルコードは、前記基本スクランブル系列、第１０の巡回シフトされた系列、および第２０の巡回シフトされた系列を備える請求項１６に記載の装置。
【請求項１９】
前記論理プロセッサは、前記系列行列から２つのＭ系列を選択し、
前記多重化モジュールは、スクランブルされていない長さ６２の系列を形成するように前記選択されたＭ系列をインタリーブし、さらに
前記データ変換モジュールは、前記長さ６２の系列に前記共通のバイナリスクランブルコードを適用する請求項１２に記載の装置。
【請求項２０】
前記論理プロセッサは、前記系列行列から２つのＭ系列を選択し、
前記データ変換モジュールは、前記選択されたＭ系列に前記共通のバイナリスクランブルコードを適用して、２つのスクランブルされたＭ系列を獲得し、
前記多重化モジュールは、長さ６２の系列を形成するように前記２つのスクランブルされたＭ系列をインタリーブする請求項１２に記載の装置。
【請求項２１】
前記データ変換モジュールは、前記基本Ｍ系列に前記共通のバイナリスクランブルコードを適用して、少なくとも１つのスクランブルされたＭ系列をもたらし、さらに前記系列行列を生成する請求項１２に記載の装置。
【請求項２２】
前記論理プロセッサは、前記スクランブルされた基本Ｍ系列に２つの異なる巡回シフトを適用して、２つのスクランブルされたＭ系列を生成し、さらに前記ＳＳＣを生成する長さ６２の系列を形成するように前記２つのスクランブルされたＭ系列をインタリーブする請求項２１に記載の装置。
【請求項２３】
無線通信のためのＳＳＣを生成するための装置であって、
基本Ｍ系列、および前記基本Ｍ系列の巡回シフトされた変化系列から系列行列を生成するための手段と、
前記行列の少なくとも１つの系列を、前記無線通信に関連するＰＳＣに基づく共通のバイナリスクランブルコードでスクランブルするための手段と、
前記少なくとも１つのスクランブルされた系列に基づいてＳＳＣを生成するための手段と、
前記ＳＳＣを、ＯＦＤＭ伝送の副搬送波チャネル上にマップするための手段とを備える装置。
【請求項２４】
無線通信のためのＳＳＣを生成するように構成されたプロセッサであって、
基本Ｍ系列、および前記基本Ｍ系列の巡回シフトされた変化系列から系列行列を生成する第１のモジュールと、
前記行列の少なくとも１つの系列を、前記無線通信に関連するＰＳＣに基づく共通のバイナリスクランブルコードでスクランブルする第２のモジュールと、
前記少なくとも１つのスクランブルされた系列に基づいてＳＳＣを生成する第３のモジュールと、
前記ＳＳＣを、ＯＦＤＭ伝送の副搬送波チャネル上にマップする第４のモジュールとを備えるプロセッサ。
【請求項２５】
無線通信のためのＳＳＣを生成するように構成されたコンピュータ可読命令を備えるコンピュータ可読媒体であって、
前記命令は、基本Ｍ系列、および前記基本Ｍ系列の巡回シフトされた変化系列から系列行列を生成し、前記行列の少なくとも１つの系列を、前記無線通信に関連するＰＳＣに基づく共通のバイナリスクランブルコードでスクランブルし、前記少なくとも１つのスクランブルされた系列に基づいてＳＳＣを生成し、さらに前記ＳＳＣを、ＯＦＤＭ伝送の副搬送波チャネル上にマップするように少なくとも１つのコンピュータによって実行可能である媒体。
【請求項２６】
無線ネットワークサイトに関して異なるＳＳＣを選択する方法であって、
基本Ｍ系列、および前記基本Ｍ系列のｎ個の巡回シフトされた系列から系列行列を形成すること、
前記系列行列の異なる系列ペアに実質的に（ｎ＋１）＾２個の指標の１つを割り当てること、および
前記系列ペアからもたらされるＳＳＣの電力特性または信号相関特性に少なくとも部分的に基づいて、系列ペアを選択することとを備える方法。
【請求項２７】
１７０個または３４０個の指標付けされた系列ペアを選択すること、各系列ペアから異なるＳＳＣを生成すること、および前記無線ネットワークサイトの基地局に２つ以上の異なるＳＳＣを割り当てることをさらに備える請求項２６に記載の方法。
【請求項２８】
前記基本Ｍ系列、および前記ｎ個の巡回シフトされた系列のために長さ３１の系列を使用することをさらに備える請求項２６に記載の方法。
【請求項２９】
ｒ＝ｕ＊ｎ＋ｖという形態のアルゴリズムを使用して、前記実質的に（ｎ＋１）＾２個の指標を生成することをさらに備え、ただし、ｒは、０から（ｎ＋１）＾２までの整数であり、さらにｕおよびｖは、セット｛０，．．．ｎ｝からそれぞれ選択された系列である請求項２６に記載の方法。
【請求項３０】
前記系列ペアからもたらされる前記ＳＳＣのＰＡＰＲ（ピーク対平均電力比）を算出すること、および前記ＰＡＰＲをしきい値と比較することをさらに備える請求項２６に記載の方法。
【請求項３１】
前記ＰＡＰＲと前記しきい値の前記比較を部分的に前記系列ペアを選択することの条件とすることをさらに備える請求項３０に記載の方法。
【請求項３２】
前記系列ペアからもたらされる前記ＳＳＣの相互相関係数を算出すること、および前記係数をしきい値と比較することをさらに備える請求項２６に記載の方法。
【請求項３３】
前記係数と前記しきい値の前記比較を部分的に前記系列ペアを選択することの条件とすることをさらに備える請求項３２に記載の方法。
【請求項３４】
前記ＳＳＣの相互相関係数およびＰＡＰＲを算出すること、および前記相互相関係数を相関しきい値と比較し、さらに前記ＰＡＰＲを電力しきい値と比較することをさらに備える請求項２６に記載の方法。
【請求項３５】
前記ＰＡＰＲが、前記電力しきい値より低いこと、および前記相互相関係数が、前記相関しきい値より低いことを部分的に前記系列ペアを選択することの条件とすることをさらに備える請求項２６に記載の方法。
【請求項３６】
無線ネットワークサイトに関して異なるＳＳＣを選択する装置であって、
基本Ｍ系列、および前記基本Ｍ系列のｎ個の巡回シフトされた系列から系列行列を形成する論理プロセッサと、
前記系列行列の異なる系列ペアに実質的に（ｎ＋１）＾２個の指標の１つを割り当てる指標付けモジュールと、
しきい値電力またはしきい値信号相関とそれぞれ比較した、前記系列ペアからもたらされるＳＳＣのＰＡＰＲまたは信号相関に少なくとも部分的に基づいて、系列ペアを選択する簡潔化モジュールを備える装置。
【請求項３７】
前記簡潔化モジュールは、１７０個または３４０個の指標付けされた系列ペアを選択し、各系列ペアから異なるＳＳＣを生成し、さらに前記無線ネットワークサイトの基地局に１つまたは複数の異なるＳＳＣを割り当てる請求項３６に記載の装置。
【請求項３８】
前記論理プロセッサは、前記基本Ｍ系列、および前記ｎ個の巡回シフトされた系列のために長さ３１の系列を使用する請求項３６に記載の装置。
【請求項３９】
前記指標付けモジュールは、ｒ＝ｕ＊ｎ＋ｖという形態のアルゴリズムを使用して、前記実質的に（ｎ＋１）＾２個の指標を生成し、ただし、ｒは、０から（ｎ＋１）＾２までの整数であり、さらにｕおよびｖは、セット｛０，．．．ｎ｝からそれぞれ選択される系列である請求項３６に記載の装置。
【請求項４０】
前記系列ペアからもたらされる前記ＳＳＣのＰＡＰＲ（ピーク対平均電力比）を算出し、さらに前記ＰＡＰＲをしきい値と比較する信号シミュレーションモジュールをさらに備える請求項３６に記載の装置。
【請求項４１】
前記簡潔化モジュールは、前記ＰＡＰＲと前記しきい値の前記比較を部分的に前記系列ペアを選択することの条件とする請求項４０に記載の装置。
【請求項４２】
前記系列ペアからもたらされる前記ＳＳＣの相互相関係数を算出し、さらに前記係数をしきい値と比較する信号相関モジュールをさらに備える請求項３６に記載の装置。
【請求項４３】
前記簡潔化モジュールは、前記係数と前記しきい値の前記比較を部分的に前記系列ペアを選択することの条件とする請求項４２に記載の装置。
【請求項４４】
前記ＳＳＣの相互相関係数を算出し、さらに前記相互相関係数を相関しきい値と比較する信号相関モジュールと、
前記ＳＳＣのＰＡＰＲを算出し、さらに前記ＰＡＰＲを電力しきい値と比較する測定モジュールとをさらに備える請求項３６に記載の装置。
【請求項４５】
前記簡潔化モジュールは、前記ＰＡＰＲが、前記電力しきい値より低いこと、および前記相互相関係数が、前記相関しきい値より低いことを部分的に前記系列ペアを選択することの条件とする請求項４４に記載の装置。
【請求項４６】
無線ネットワークサイトに関して異なるＳＳＣを選択する装置であって、
基本Ｍ系列、および前記基本Ｍ系列のｎ個の巡回シフトされた系列から系列行列を形成するための手段と、
前記系列行列の異なる系列ペアに実質的に（ｎ＋１）＾２個の指標の１つを割り当てるための手段と、
前記系列ペアからもたらされるスクランブルされたＳＳＣの電力または信号相関に少なくとも部分的に基づいて、系列ペアを選択するための手段と、
前記選択された系列ペアをＰＳＣベースのスクランブルコードでスクランブルするための手段とを備える装置。
【請求項４７】
無線ネットワークサイトに関して異なるＳＳＣを選択するように構成されたプロセッサであって、
基本Ｍ系列、および前記基本Ｍ系列のｎ個の巡回シフトされた系列から系列行列を形成する第１のモジュールと、
前記系列行列の異なる系列ペアに実質的に（ｎ＋１）＾２個の指標の１つを割り当てる第２のモジュールと、
前記系列ペアからもたらされるスクランブルされたＳＳＣのＰＡＰＲまたは信号相関に少なくとも部分的に基づいて、系列ペアを選択する第３のモジュールと、
前記選択された系列ペアをＰＳＣベースのスクランブルコードでスクランブルする第４のモジュールとを備えるプロセッサ。
【請求項４８】
無線ネットワークサイトに関して異なるＳＳＣを選択するように構成されたコンピュータ可読命令を備えるコンピュータ可読媒体であって、
前記命令は、基本Ｍ系列、および前記基本Ｍ系列のｎ個の巡回シフトされた系列から系列行列を形成し、前記系列行列の異なる系列ペアに実質的に（ｎ＋１）＾２個の指標の１つを割り当て、前記系列ペアからもたらされるスクランブルされたＳＳＣの電力または信号相関に少なくとも部分的に基づいて、系列ペアを選択し、さらに前記選択された系列ペアをＰＳＣベースのスクランブルコードでスクランブルするように少なくとも１つのコンピュータによって実行可能である媒体。
【請求項４９】
無線通信を行う方法であって、
移動体ネットワーク送信機から無線伝送を受信すること、
前記無線伝送から、共通のＰＳＣベースのバイナリスクランブルコードでスクランブルされた少なくとも２つの系列から成るＳＳＣを抽出すること、
共通のＰＳＣベースのバイナリ逆スクランブルコードを使用して前記ＳＳＣを解読すること、および
前記解読されたＳＳＣから前記移動体ネットワーク送信機のＩＤを特定することを備える方法。
【請求項５０】
前記逆スクランブルコードを使用して前記ＳＳＣを解読することに先立って、前記無線伝送の副搬送波周波数から前記ＳＳＣを抽出することをさらに備える請求項４９に記載の方法。
【請求項５１】
前記逆スクランブルコードを使用して前記ＳＳＣを解読することに先立って、前記抽出されたＳＳＣを逆インタリーブすることをさらに備える請求項４９に記載の方法。
【請求項５２】
前記抽出されたＳＳＣを逆インタリーブすることから第１の系列および第２の系列を獲得すること、および
前記第１の系列および前記第２の系列に前記逆スクランブルコードを適用して前記ＳＳＣを解読することをさらに備える請求項５１に記載の方法。
【請求項５３】
前記共通のＰＳＣベースのバイナリ逆スクランブルコードとして、前記共通のＰＳＣベースのバイナリスクランブルコード、またはそのようなスクランブルコードの変化系列を使用することをさらに備える請求項４９に記載の方法。
【請求項５４】
無線通信を行うための装置であって、
移動体ネットワーク送信機から無線伝送を受信するアンテナと、
前記無線伝送から、共通のＰＳＣベースのバイナリスクランブルコードでスクランブルされた少なくとも２つの系列から成るＳＳＣを抽出する復調器と、
共通のＰＳＣベースのバイナリ逆スクランブルコードを使用して前記ＳＳＣを解読する信号プロセッサと、
前記解読されたＳＳＣから前記移動体ネットワーク送信機のＩＤを特定する論理プロセッサとを備える方法。
【請求項５５】
前記復調器は、前記無線伝送の副搬送波周波数から前記ＳＳＣを抽出する請求項５４に記載の装置。
【請求項５６】
前記信号プロセッサは、前記逆スクランブルコードを使用して前記ＳＳＣを解読することに先立って、前記抽出されたＳＳＣを逆インタリーブし、前記逆インタリーブされたＳＳＣは、第１の系列と、第２の系列とを備える請求項５４に記載の装置。
【請求項５７】
前記信号プロセッサは、前記第１の系列および前記第２の系列に前記逆スクランブルコードを適用して前記ＳＳＣを解読する請求項５５に記載の装置。
【請求項５８】
前記信号プロセッサは、前記共通のＰＳＣベースのバイナリ逆スクランブルコードとして、前記共通のＰＳＣベースのバイナリスクランブルコード、またはそのようなスクランブルコードの変化系列を使用する請求項５４に記載の装置。
【請求項５９】
無線通信を行う装置であって、
移動体ネットワーク送信機から無線伝送を受信するための手段と、
前記無線伝送から、共通のＰＳＣベースのバイナリスクランブルコードでスクランブルされた少なくとも２つの系列から成るＳＳＣを抽出するための手段と、
共通のＰＳＣベースのバイナリ逆スクランブルコードを使用して前記ＳＳＣを解読するための手段と、
前記解読されたＳＳＣから前記移動体ネットワーク送信機のＩＤを特定するための手段とを備える装置。
【請求項６０】
無線通信を行うように構成されたプロセッサであって、
移動体ネットワーク送信機から無線伝送を受信する第１のモジュールと、
前記無線伝送から、共通のＰＳＣベースのバイナリスクランブルコードでスクランブルされた少なくとも２つの系列から成るＳＳＣを抽出する第２のモジュールと、
共通のＰＳＣベースのバイナリ逆スクランブルコードを使用して前記ＳＳＣを解読する第３のモジュールと、
前記解読されたＳＳＣから前記移動体ネットワーク送信機のＩＤを特定する第４のモジュールとを備えるプロセッサ。
【請求項６１】
無線通信を行うように構成されたコンピュータ可読命令を備えるコンピュータ可読媒体であって、
前記命令は、移動体ネットワーク送信機から無線伝送を受信し、前記無線伝送から、共通のＰＳＣベースのバイナリスクランブルコードでスクランブルされた少なくとも２つの系列から成るＳＳＣを抽出し、共通のＰＳＣベースのバイナリ逆スクランブルコードを使用して前記ＳＳＣを解読し、さらに前記解読されたＳＳＣから前記移動体ネットワーク送信機のＩＤを特定するように少なくとも１つコンピュータによって実行可能である媒体。
【発明の詳細な説明】
【技術分野】
【０００１】
以下は、一般に、無線通信に関し、より具体的には、無線ネットワークサイトに関する二次同期を選択するための二次同期コードブックを決定することに関する。
【０００２】
（関連出願の相互参照）
本非仮特許出願は、本出願の譲受人に譲渡され、参照により明確に本明細書に組み込まれている、２００７年８月１３日に出願され、「ＳＥＣＯＮＤＡＲＹ  ＳＹＮＣＨＲＯＮＩＺＡＴＩＯＮ  ＣＯＤＥＢＯＯＫ  ＦＯＲ  Ｅ−ＵＴＲＡＮ」という名称の仮特許出願第６０／９５５，６２３号の優先権を主張する。
【背景技術】
【０００３】
無線通信システムは、例えば、音声コンテンツ、データコンテンツなどの様々なタイプの通信コンテンツを提供するように広く展開されている。通常の無線通信システムは、利用可能なシステムリソース（例えば、帯域幅、送信電力）を共有することによって複数のユーザを相手にした通信をサポートすることができる多元接続システムであることが可能である。そのような多元接続システムの例には、ＣＤＭＡ（符号分割多元接続）システム、ＴＤＭＡ（時間分割多元接続）システム、ＦＤＭＡ（周波数分割多元接続）システム、ＯＦＤＭＡ（直交周波数分割多元接続）システムなどが含まれることが可能である。
【０００４】
一般に、無線多元接続通信システムは、複数の移動デバイスに関する通信を同時にサポートすることができる。各移動デバイスは、順方向リンク上で伝送、および逆方向リンク上の伝送を介して１つまたは複数の基地局と通信することができる。順方向リンク（またはダウンリンク）とは、基地局から移動デバイスに至る通信リンクを指し、逆方向リンク（またはアップリンク）とは、移動デバイスから基地局に至る通信リンクを指す。さらに、移動デバイスと基地局の間の通信は、ＳＩＳＯ（単一入力単一出力）システム、ＭＩＳＯ（多入力単一出力）システム、ＭＩＭＯ（多入力多出力）システムなどを介して確立されることが可能である。
【０００５】
ＭＩＭＯシステムは、一般に、データ伝送のために複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルと呼ばれることが可能な独立したＮＳ個のチャネルに分解されることが可能であり、ただし、ＮＳ≦｛ＮＴ，ＮＲ｝である。独立したＮＳ個のチャネルのそれぞれは、或る次元に対応する。さらに、ＭＩＭＯシステムは、複数の送信アンテナ、および複数の受信アンテナによって作られるさらなる次元が利用される場合、向上したパフォーマンス（例えば、より高いスペクトル効率、より大きいスループットおよび／またはより高い信頼性）をもたらすことができる。
【０００６】
マルチ伝送無線アクセスサイトによってもたらされる向上したパフォーマンス、スループット、および信頼性は、さらなるシステム複雑性を生じさせることも可能である。例えば、複数の基地局が、共通の区域内で伝送しており、さらにそのような伝送が、単一のデバイスによって受信される場合、そのような伝送の間で区別を行う機構が、要求されることが可能である。さらに、或る基地局を別の基地局から区別し、さらに／または識別する手段が、要求される可能性がある。基地局を識別するため、および受信された伝送を区別するための１つの機構は、チャネル同期を使用することによる。同期は、一部の事例では、伝送に関する周波数情報およびタイミング情報を含むＰＳＣ（一次同期コード）、および基地局ＩＤを提供するＳＳＣ（二次同期コード）を含むことが可能である。そのような事例では、デバイスは、ＰＳＣおよび／またはＳＳＣによってマルチ送信機環境における１つまたは複数の伝送を区別し、復号することができる。
【発明の概要】
【０００７】
以下に、１つまたは複数の態様の簡略化された概要を、そのような態様の基本的な理解をもたらすために提示する。この概要は、企図されるすべての態様の広範な概観ではなく、すべての態様の重要な要素もしくは不可欠な要素を特定することも、いずれかの態様、またはすべての態様の範囲を線引きすることも意図していない。この概要の唯一の目的は、後段で提示されるより詳細な説明の前置きとして、１つまたは複数の態様のいくつかの概念を簡略化された形態で提示することである。
【０００８】
本開示は、少なくとも一部の態様において、複数の基地局のＳＳＣ（二次同期コード）をスクランブルするのにＰ−ＳＣＨ（一次同期チャネル）関連のスクランブルコードを使用する。さらに、このスクランブルを達する様々な機構が、提供される。少なくとも１つのさらなる態様では、ＰＳＣベースのスクランブルコードは、ＳＳＣを生成するのに利用される多項式とは異なる多項式から生成された複数のＭ系列から作成される。さらに、開示されるのは、もたらされるスクランブルされたＳＳＣの電力特性および／または相関特性に基づいて、マルチ送信機移動体サイトのためのＳＳＣを生成するために系列ペアを選択するＳＳＣコードブックである。その結果、デバイスにおいて受信されるマルチ送信機ＳＳＣ伝送の間の干渉が、軽減されて、計画的な移動体基地局展開、半計画的な移動体基地局展開、および無計画の移動体基地局展開に関して、向上したスループット、信頼性、および一貫性がもたらされることが可能である。
【０００９】
一部の態様によれば、開示されるのは、無線通信のためのＳＳＣ（二次同期コード）を生成するための方法である。この方法は、基本Ｍ系列、および基本Ｍ系列の巡回シフトされた変化系列から系列行列を生成すること、およびこの系列行列の少なくとも１つのＭ系列を、無線通信に関連するＰＳＣ（一次同期コード）に基づく共通のバイナリスクランブルコードでスクランブルすることを備えることが可能である。さらに、この方法は、この少なくとも１つのスクランブルされたＭ系列からＳＳＣを生成すること、およびこのＳＳＣを、ＯＦＤＭ（直交周波数分割多重）伝送の副搬送波チャネル上にマップすることを備えることが可能である。
【００１０】
他の態様によれば、提供されるのは、無線通信のためのＳＳＣを生成するための装置である。この装置は、基本Ｍ系列、および基本Ｍ系列の巡回シフトされた変化系列から系列行列を生成する論理プロセッサと、この行列の少なくとも１つの系列を、無線通信に関連するＰＳＣに基づく共通のバイナリスクランブルコードでスクランブルするデータ変換モジュールとを備えることが可能である。さらに、この装置は、この少なくとも１つのスクランブルされた系列からＳＳＣを生成する多重化モジュールと、このＳＳＣを、ＯＦＤＭ伝送の副搬送波チャネル上にマップする伝送プロセッサとを備えることが可能である。
【００１１】
さらに他の態様によれば、開示されるのは、無線通信のためのＳＳＣを生成するためのさらなる装置である。この装置は、基本Ｍ系列、および基本Ｍ系列の巡回シフトされた変化系列から系列行列を生成するための手段と、この行列の少なくとも１つの系列を、無線通信に関連するＰＳＣに基づく共通のバイナリスクランブルコードでスクランブルするための手段とを備えることが可能である。さらに、この装置は、この少なくとも１つのスクランブルされた系列からＳＳＣを生成するための手段と、このＳＳＣを、ＯＦＤＭ伝送の副搬送波チャネル上にマップするための手段とを備えることが可能である。
【００１２】
本開示のさらなる態様によれば、提供されるのは、無線通信のためのＳＳＣを生成するように構成されたプロセッサである。このプロセッサは、基本Ｍ系列、および基本Ｍ系列の巡回シフトされた変化系列から系列行列を生成する第１のモジュールと、この行列の少なくとも１つの系列を、無線通信に関連するＰＳＣに基づく共通のバイナリスクランブルコードでスクランブルする第２のモジュールとを備えることが可能である。このプロセッサは、この少なくとも１つのスクランブルされた系列からＳＳＣを生成する第３のモジュールと、このＳＳＣを、ＯＦＤＭ伝送の副搬送波チャネル上にマップする第４のモジュールとをさらに備えることが可能である。
【００１３】
少なくとも１つのさらなる態様によれば、提供されるのは、無線通信のためのＳＳＣを生成するように構成されたコンピュータ可読命令を備えるコンピュータ可読媒体である。これらの命令は、基本Ｍ系列、および基本Ｍ系列の巡回シフトされた変化系列から系列行列を生成し、さらにこの行列の少なくとも１つの系列を、無線通信に関連するＰＳＣに基づく共通のバイナリスクランブルコードでスクランブルするように少なくとも１つのコンピュータによって実行可能であり得る。さらに、これらの命令は、この少なくとも１つのスクランブルされた系列からＳＳＣを生成し、さらにこのＳＳＣを、ＯＦＤＭ伝送の副搬送波チャネル上にマップするように少なくとも１つのコンピュータによって実行可能であり得る。
【００１４】
一部の態様によれば、開示されるのは、無線ネットワークサイトに関して別々のＳＳＣを選択する方法である。この方法は、基本Ｍ系列、および基本Ｍ系列のｎ個の巡回シフトされた系列から系列行列を形成すること、およびこの系列行列の個々の系列ペアに実質的に（ｎ＋１）＾２個の指標の１つを割り当てることを備えることが可能である。また、この方法は、系列ペアを、その系列ペアからもたらされるＳＳＣのＰＡＰＲ（ピーク対平均電力比）または信号相関に少なくとも部分的に基づいて、選択することを備えることも可能である。
【００１５】
さらに、他の態様によれば、提供されるのは、無線ネットワークサイトに関して別々のＳＳＣを選択する装置である。この装置は、基本Ｍ系列、および基本Ｍ系列のｎ個の巡回シフトされた系列から系列行列を形成する論理プロセッサと、この系列行列の個々の系列ペアに実質的に（ｎ＋１）＾２個の指標の１つを割り当てる指標付けモジュールとを備えることが可能である。一部の態様によれば、この装置は、系列ペアを、その系列ペアからもたらされるＳＳＣのＰＡＰＲまたは信号相関に少なくとも部分的に基づいて、選択する簡潔化モジュールを備えることも可能である。
【００１６】
さらなる１つまたは複数の態様では、開示されるのは、無線ネットワークサイトに関して個々のＳＳＣを選択する装置である。この装置は、基本Ｍ系列、および基本Ｍ系列のｎ個の巡回シフトされた系列から系列行列を形成するための手段と、この系列行列の個々の系列ペアに実質的に（ｎ＋１）＾２個の指標の１つを割り当てるための手段とを備えることが可能である。さらに、この装置は、系列ペアを、その系列ペアからもたらされるＳＳＣのＰＡＰＲまたは信号相関に少なくとも部分的に基づいて、選択するための手段を備えることが可能である。
【００１７】
他の少なくとも１つの態様によれば、開示されるのは、無線ネットワークサイトに関して個々のＳＳＣを選択するように構成されたプロセッサである。このプロセッサは、基本Ｍ系列、および基本Ｍ系列のｎ個の巡回シフトされた系列から系列行列を形成する第１のモジュールと、この系列行列の個々の系列ペアに実質的に（ｎ＋１）＾２個の指標の１つを割り当てる第２のモジュールとを備えることが可能である。さらに、このプロセッサは、系列ペアを、その系列ペアからもたらされるＳＳＣのＰＡＰＲまたは信号相関に少なくとも部分的に基づいて、選択する第３のモジュールを備えることが可能である。
【００１８】
以上に加えて、提供されるのは、無線ネットワークサイトに関して個々のＳＳＣを選択するように構成されたコンピュータ可読命令を備えるコンピュータ可読媒体である。これらの命令は、基本Ｍ系列、および基本Ｍ系列のｎ個の巡回シフトされた系列から系列行列を形成し、さらにこの系列行列の個々の系列ペアに実質的に（ｎ＋１）＾２個の指標の１つを割り当てるように少なくとも１つのコンピュータによって実行可能であり得る。さらに、これらの命令は、系列ペアを、その系列ペアからもたらされるＳＳＣのＰＡＰＲまたは信号相関に少なくとも部分的に基づいて、選択するように少なくとも１つのコンピュータによって実行可能であり得る。
【００１９】
さらなる態様によれば、開示されるのは、無線通信の方法である。この方法は、移動体ネットワーク送信機から無線伝送を受信すること、およびこの無線伝送からＳＳＣを抽出することを備えることが可能であり、このＳＳＣは、共通のＰＳＣベースのバイナリスクランブルコードでスクランブルされた少なくとも２つの系列から成る。この方法は、共通のＰＳＣベースのバイナリ逆スクランブルコードを使用して、このＳＳＣを解読すること、およびこの解読されたＳＳＣから移動体ネットワーク送信機のＩＤを特定することをさらに備えることが可能である。
【００２０】
他の態様によれば、提供されるのは、無線通信を行うための装置である。この装置は、移動体ネットワーク送信機から無線伝送を受信するアンテナと、この無線伝送からＳＳＣを抽出する復調器とを含むことが可能であり、このＳＳＣは、共通のＰＳＣベースのバイナリスクランブルコードでスクランブルされた少なくとも２つの系列から成る。さらに、この装置は、共通のＰＳＣベースのバイナリ逆スクランブルコードを使用して、このＳＳＣを解読する信号プロセッサと、この解読されたＳＳＣから移動体ネットワーク送信機のＩＤを特定する論理プロセッサとを含むことが可能である。
【００２１】
さらなる他の態様によれば、開示されるのは、無線通信を行う装置である。この装置は、移動体ネットワーク送信機から無線伝送を受信するための手段と、この無線伝送からＳＳＣを抽出するための手段とを備えることが可能であり、このＳＳＣは、共通のＰＳＣベースのバイナリスクランブルコードでスクランブルされた少なくとも２つの系列から成る。さらに、この装置は、共通のＰＳＣベースのバイナリ逆スクランブルコードを使用して、このＳＳＣを解読するための手段と、この解読されたＳＳＣから移動体ネットワーク送信機のＩＤを特定するための手段とを備えることが可能である。
【００２２】
さらなる態様では、提供されるのは、無線通信を行うように構成されたプロセッサである。このプロセッサは、移動体ネットワーク送信機から無線伝送を受信する第１のモジュールと、この無線伝送からＳＳＣを抽出する第２のモジュールとを備えることが可能であり、このＳＳＣは、共通のＰＳＣベースのバイナリスクランブルコードでスクランブルされた少なくとも２つの系列から成る。このプロセッサは、共通のＰＳＣベースのバイナリ逆スクランブルコードを使用して、このＳＳＣを解読する第３のモジュールと、この解読されたＳＳＣから移動体ネットワーク送信機のＩＤを特定する第４のモジュールとをさらに備えることが可能である。
【００２３】
さらなる１つまたは複数の態様によれば、提供されるのは、無線通信を行うように構成されたコンピュータ可読命令を備えるコンピュータ可読媒体である。これらの命令は、移動体ネットワーク送信機から無線伝送を受信し、さらにこの無線伝送からＳＳＣを抽出するように少なくとも１つのコンピュータによって実行可能であることが可能であり、このＳＳＣは、共通のＰＳＣベースのバイナリスクランブルコードでスクランブルされた少なくとも２つの系列から成る。これらの命令は、共通のＰＳＣベースのバイナリ逆スクランブルコードを使用して、このＳＳＣを解読し、さらにこの解読されたＳＳＣから移動体ネットワーク送信機のＩＤを特定するように少なくとも１つのコンピュータによってさらに実行可能であり得る。
【００２４】
以上の目的、および関連する目的を達するのに、１つまたは複数の態様は、本明細書で十分に説明され、さらに特許請求の範囲において特に指摘される特徴を備える。以下の説明、および添付の図面は、１つまたは複数の態様のいくつかの例示的な態様を詳細に示す。しかし、これらの態様は、様々な態様の原理が使用され得る様々な仕方のいくつかを示すに過ぎず、説明される態様は、すべてのそのような態様、およびそれらの均等物を含むことを意図している。
【図面の簡単な説明】
【００２５】
【図１】本明細書で説明される態様による無線通信を提供する例示的なシステムを示すブロック図。
【図２】無線通信環境で使用するための例示的な通信装置を示すブロック図。
【図３】１つまたは複数の態様によるマルチ基地局サイトのＳＳＣの間で、より小さい干渉をもたらす例示的なシステムを示すブロック図。
【図４】ＳＳＣ、スクランブルコード、さらに／または類似物のための系列を生成するための例示的な系列行列を示す図。
【図５】マルチ送信機移動体サイトにおいて、送信されたＳＳＣに関して、より小さい干渉をもたらす例示的なシステムを示すブロック図。
【図６】ＳＳＣ伝送の間の干渉を低減するために、本明細書で説明されるＳＳＣコードブックを使用する例示的なシステムを示すブロック図。
【図７】本開示の態様による例示的な基地局を示すブロック図。
【図８】本開示のさらに他の態様による例示的な端末デバイスを示すブロック図。
【図９】本開示の態様による複数のＳＳＣ伝送の干渉を低減するための例示的な方法を示す流れ図。
【図１０】１つまたは複数の態様によるＯＴＡ  ＳＳＣ伝送をスクランブルするためのサンプル方法を示す流れ図。
【図１１】少なくとも１つの態様によるスクランブルされたＳＳＣを生成するためのサンプル方法を示す流れ図。
【図１２】本明細書で開示される一部の態様による遠隔通信を円滑にすることができる例示的なシステムを示すブロック図。
【図１３】移動体通信環境に関して、より小さい干渉をもたらす例示的なシステムを示すブロック図。
【図１４】もたらされるＳＳＣ信号のＰＡＰＲおよび／または相関に基づいてＳＳＣ系列を選択するサンプルシステムを示すブロック図。
【図１５】マルチ送信機移動体環境において向上した受信および同期をもたらすサンプルシステムを示すブロック図。
【発明を実施するための形態】
【００２６】
次に、様々な態様が、すべての図面で同様の要素を参照するのに同様の符号が使用される、図面を参照して説明される。以下の説明において、説明の目的で、多数の特定の詳細が、１つまたは複数の態様の徹底的な理解をもたらすために示される。しかし、そのような態様が、これらの特定の詳細なしに実施されることが可能であることは明白であり得る。他の事例では、よく知られた構造およびデバイスは、１つまたは複数の態様を説明することを容易にするために、ブロック図の形態で示される。
【００２７】
さらに、本開示の様々な態様が、後段で説明される。本明細書の教示は、多種多様な形態で実現されることが可能であること、および本明細書で開示されるいずれの特定の構造および／または機能も、代表的であるに過ぎないことが明白であろう。本明細書の教示に基づいて、本明細書で開示される態様は、他のいずれの態様とも無関係に実施されることが可能であること、およびこれらの態様の２つ以上は、様々な仕方で組み合わされ得ることが、当業者には認識されよう。例えば、任意の数の、本明細書で説明される態様を使用して、装置が実施されることが可能であり、さらに／または方法が実施されることが可能である。さらに、本明細書で説明される態様の１つまたは複数に加えて、またはそのような態様以外に、他の構造および／または機能を使用して、装置が実施されることが可能であり、さらに／または方法が実施されることが可能である。一例として、本明細書で説明される方法、デバイス、システム、および装置の多くは、１つまたは複数の無線チャネルの特性を特定すること、ならびにその特定された特性の大きさに部分的に基づいて、ハンドオーバ決定をもたらすことの文脈において説明される。同様の技術が他の通信環境に適用されることも可能であることが、当業者には認識されよう。
【００２８】
本開示は、１つまたは複数の態様において、マルチ送信機環境における複数のＳＳＣ（二次同期コード）伝送に関して、より小さい干渉をもたらす。この環境は、計画的な移動体通信環境、半計画的な移動体通信環境、および／または無計画の移動体通信環境に関連することが可能である。通常、ＲＡＮ（無線アクセス網）ＢＳ（基地局）は、移動デバイス（例えば、セルラー電話機、セルラー対応のラップトップ、マルチモード電話機、ＰＤＡ［パーソナルディジタルアシスタント］、および／または類似物）を相手にしたＯＴＡ（無線（over the air））通信を円滑にするのに同期コードを使用する。移動デバイスは、関係のあるデータがＢＳによっていつ供給されているかを特定するために、それらの同期コード（および、一部の事例では、ＯＴＡ伝送の他の部分）を監視する。比較的小さい通信サイト内に多くのＢＳが存在する（例えば、したがって、移動デバイスが、多くのＢＳから無線伝送を受信する）場合、それらの同期コードは、互いに干渉して、移動デバイスにおいて区別するのが困難になる可能性がある。したがって、同期コード干渉を軽減する、または回避する機構が、移動体通信の信頼性を向上させることができる。
【００２９】
一部の態様によれば、ＳＳＣを生成して、Ｐ−ＳＣＨ関連のスクランブルコードでスクランブルする特定の機構が、提供される。スクランブルされたＳＳＣは、共通の移動体環境（例えば、単一の移動体展開サイト、または複数の近くに位置する移動体サイト）において送信された際、互いに干渉する可能性がより低いことが可能である。少なくとも１つの態様では、ＳＳＣは、第１の数式によって与えられる第１の系列セットから生成されることが可能であり、さらにこれらのＳＳＣをスクランブルするスクランブルコードが、異なる数式から生成されることが可能である。さらに、これらのスクランブルコードの系列指標が、Ｐ−ＳＣＨ（一次同期チャネル）に基づいて選択されることが可能である。様々な機構が、これらのスクランブルされたＳＳＣを生成し、さらに複数の送信元（例えば、ＢＳ）によって送信される複数のＳＳＣの干渉を低減するのに使用されることが可能である。
【００３０】
ＳＳＣは、基本系列、および基本系列の変化系列（例えば、巡回シフトされた系列）を備える、系列行列から選択された複数の系列から生成されることが可能である。基本系列、選択された系列、および／またはＳＳＣは、ＯＴＡ  ＳＳＣの干渉を低減するようにスクランブルコードでスクランブルされることが可能である。一実施例として、選択された系列のペアがまず、スクランブルコードによってスクランブルされることが可能であり、次に、これらの系列が、ＯＴＡメッセージにマップされることが可能な、完全な長さのスクランブルされたＳＳＣ系列を形成するように組み合わされることが可能である（例えば、系列ペアをインタリーブすることによって）。別の実施例では、系列のペアはまず、スクランブルされていない完全な長さの系列を形成するようにインタリーブされ、次に、スクランブルコードによってスクランブルされ、次に、伝送にマップされることが可能である。他の実施例では、基礎系列は、系列行列が、スクランブルされた基本系列と、スクランブルされた、基本系列の変化系列とを備えるようにスクランブルされることが可能である。そのような実施例では、スクランブルされた系列のペアは、行列から選択され、完全な長さのＳＳＣ系列を形成するようにインタリーブされ、さらにＯＴＡメッセージにマップされることが可能である。スクランブルされたＳＳＣ系列は、送信されるＳＳＣの、より小さい干渉をもたらすことが可能であり、さらに計画的な移動体基地局展開、半計画的な移動体基地局展開、および無計画の移動体基地局展開に関する伝送信頼性を向上させることができる。
【００３１】
他の１つまたは複数の態様によれば、符号化された信号の間の干渉をランダム化することができる、ＰＳＣベースのスクランブルコードを生成する機構が、提供される。複数の系列（例えば、３つの系列）が、１つまたは複数のＳＳＣに関するスクランブルコードを生成するのに使用される。これらの複数の系列は、完全な長さの系列（または、例えば、１ビット切り捨て（one-bit truncated）などの、変更された完全な長さの系列）のセット、または自セットの他の１／２の長さの系列に付加された１／２の長さの系列のセットを備えることが可能である。少なくとも１つの態様では、完全な長さの系列および／または１／２の長さの系列のセットは、共通のＭ系列多項式から生成される。別の態様では、完全な長さの系列および／または１／２の長さの系列のセットは、複数のＭ系列多項式から生成されることが可能である。少なくとも１つのさらなる態様では、ＰＳＣベースのスクランブルコードが、ＳＳＣを生成するのに利用される多項式とは異なる多項式から生成された３つの１／２の長さのＭ系列から作成される。
【００３２】
他の１つまたは複数の態様によれば、提供されるのは、マルチ送信機移動体サイトに関するＳＳＣを生成するためのＳＳＣコードブックである。これらのＳＳＣは、系列行列の様々な系列から生成されることが可能である。これらの系列は、系列のペアからもたらされるＳＳＣのＰＡＰＲ算出および／または相関算出に基づいて選択されることが可能である。このため、もたらされるＳＳＣは、本開示のそのような態様のため、向上した伝送、およびより小さい干渉を示すことが可能である。
【００３３】
本開示で使用される「構成要素」、「システム」などの用語は、ハードウェア、ソフトウェア、実行中のソフトウェア、ファームウェア、ミドルウェア、マイクロコード、および／または以上の任意の組合せの、コンピュータ関連のエンティティを指すことを意図している。例えば、構成要素は、プロセッサ上で実行されているプロセス、プロセッサ、オブジェクト、実行可能ファイル、実行のスレッド、プログラム、および／またはコンピュータであることが可能であるが、以上には限定されない。１つまたは複数の構成要素が、プロセス内、さらに／または実行のスレッド内に存在することが可能であり、さらに構成要素は、１つのコンピュータ上に局所化されること、さらに／または２つ以上のコンピュータの間で分散されることが可能である。さらに、これらの構成要素は、様々なデータ構造が格納されている様々なコンピュータ可読媒体から実行されることが可能である。これらの構成要素は、１つまたは複数のデータパケットを有する信号に従うなどして、ローカルプロセスおよび／または遠隔プロセスを介して通信することができる（例えば、１つの構成要素からのデータが、その信号を介して、ローカルシステム内の、または分散システムにおける別の構成要素と、さらに／またはインターネットなどのネットワークを介して他のシステムと対話して）。さらに、本明細書で説明されるシステムの構成要素は、当業者には認識されるとおり、それらの構成要素に関連して説明される様々な態様、目的、利点などを実現することを円滑にするために、再構成され、さらに／または追加の構成要素によって補完されることが可能であり、特定の図に示される構成そのものに限定されない。
【００３４】
さらに、様々な態様が、移動通信デバイス（または、例えば、移動デバイス）に関連して本明細書で説明される。移動通信デバイスは、システム、加入者ユニット、加入者局、移動局、移動体、遠隔局、遠隔端末装置、アクセス端末装置、ユーザ端末装置、ユーザエージェント、ユーザデバイス、またはユーザ機器と呼ばれることも可能である。加入者局は、セルラー電話機、コードレス電話機、ＳＩＰ（セッション開始プロトコル）電話機、ＷＬＬ（無線ローカルループ）局、ＰＤＡ（パーソナルディジタルアシスタント）、無線接続能力を有するハンドヘルドデバイス、または処理デバイスとの無線通信を円滑にする無線モデムもしくは類似した機構に接続された他の処理デバイスであることが可能である。
【００３５】
１つまたは複数の例示的な実施形態では、説明される機能は、ハードウェアで、ソフトウェアで、ファームウェアで、ミドルウェアで、マイクロコードで、または以上の任意の適切な組合せで実施されることが可能である。ソフトウェアで実施される場合、これらの機能は、コンピュータ可読媒体上に格納される、またはコンピュータ可読媒体上で１つまたは複数の命令もしくはコードとして伝送されることが可能である。コンピュータ可読媒体には、コンピュータ記憶媒体と、或る場所から別の場所へのコンピュータプログラムの転送を円滑にする任意の媒体を含む通信媒体がともに含まれる。記憶媒体は、コンピュータによってアクセスされることが可能な任意の利用可能な媒体であることが可能である。例として、限定としてではなく、そのようなコンピュータ可読媒体は、ＲＡＭ、ＲＯＭ、ＥＥＰＲＯＭ、ＣＤ−ＲＯＭもしくは他の光ディスクストレージ、磁気ディスクストレージもしくは他の磁気記憶デバイス、または命令もしくはデータ構造の形態で所望されるプログラムコードを伝送する、もしくは格納するのに使用されることが可能であり、さらにコンピュータによってアクセスされることが可能な他の任意の媒体を備えることが可能である。さらに、任意の接続が、コンピュータ可読媒体と適切に呼ばれる。例えば、ソフトウェアが、同軸ケーブル、光ファイバケーブル、より対線、ＤＳＬ（ディジタル加入者線）、あるいは赤外線、無線、マイクロ波などの無線技術を使用して、ウェブサイト、サーバ、または他の遠隔の源から伝送される場合、その同軸ケーブル、光ファイバケーブル、より対線、ＤＳＬ、あるいは赤外線、無線、マイクロ波などの無線技術が、媒体の定義に含められる。本明細書で使用されるディスク（disk）およびディスク（disc）には、ＣＤ（コンパクトディスク（disc））、レーザーディスク（登録商標）、光ディスク（disc）、ＤＶＤ（ディジタルバーサタイルディスク（disc））、フロッピー（登録商標）ディスク（disk）、およびブルーレイディスク（disc）が含まれ、ただし、ディスク（disk）は、通常、データを磁気的に再現するのに対して、ディスク（disc）は、レーザーを使用してデータを光学的に再現する。また、以上のディスク（disk）およびディスク（disc）の組合せも、コンピュータ可読媒体の範囲内に含められなければならない。
【００３６】
ハードウェア実施形態の場合、本明細書で開示される態様に関連して説明される処理ユニット、様々な例示的なロジック、論理ブロック、モジュール、および回路は、１つまたは複数のＡＳＩＣ（特定用途向け集積回路）、ＤＳＰ（ディジタル信号プロセッサ）、ＤＳＰＤ（ディジタル信号処理デバイス）、ＰＬＤ（プログラマブル論理デバイス）、ＦＰＧＡ（フィールドプログラマブルゲートアレー）、ディスクリートのゲートもしくはトランジスタロジック、ディスクリートのハードウェア構成要素、汎用プロセッサ、コントローラ、マイクロコントローラ、マイクロプロセッサ、本明細書で説明される機能を実行するように設計された他の電子ユニット、または以上の組合せの内部で実施される、または実行されることが可能である。汎用プロセッサは、マイクロプロセッサであることが可能であるが、代替として、プロセッサは、任意の従来のプロセッサ、コントローラ、マイクロコントローラ、または状態マシンであることが可能である。また、プロセッサは、コンピューティングデバイスの組合せとして、例えば、ＤＳＰとマイクロプロセッサの組合せとして、複数のマイクロプロセッサとして、ＤＳＰコアと連携する１つまたは複数のマイクロプロセッサとして、または他の任意の適切な構成として実施されることも可能である。さらに、少なくとも１つのプロセッサは、本明細書で説明されるステップおよび／またはアクションの１つまたは複数を実行するように動作可能な１つまたは複数のモジュールを備えることが可能である。
【００３７】
さらに、本明細書で説明される様々な態様または特徴は、標準のプログラミング技術および／またはエンジニアリング技術を使用する方法、装置、または製造品として実施されることが可能である。さらに、本明細書で開示される態様に関連して説明される方法またはアルゴリズムのステップおよび／またはアクションは、ハードウェアで、プロセッサによって実行されるソフトウェアモジュールで、またはこの２つの組合せで直接実施されることが可能である。さらに、一部の態様では、方法またはアルゴリズムのステップおよび／またはアクションは、コンピュータプログラム製品に組み込まれることが可能な、マシン可読媒体および／またはコンピュータ可読媒体の上のコードおよび／もしくは命令の少なくとも１つまたは任意の組合せまたはセットとして存在することが可能である。本明細書で使用される「製造品」という用語は、任意のコンピュータ可読デバイス、キャリア、または媒体からアクセス可能なコンピュータプログラムを包含することを意図している。例えば、コンピュータ可読媒体には、磁気記憶デバイス（例えば、ハードディスク、フロッピーディスク、磁気ストリップなど）、光ディスク（例えば、ＣＤ（コンパクトディスク）、ＤＶＤ（ディジタルバーサタイルディスク）など）、スマートカード、およびフラッシュメモリデバイス（例えば、カード、スティック、キードライブなど）が含まれることが可能であるが、以上には限定されない。さらに、本明細書で説明される様々な記憶媒体は、情報を格納するための１つまたは複数のデバイスおよび／または他のマシン可読媒体を代表することが可能である。「マシン可読媒体」という用語は、限定されることなしに、無線チャネル、ならびに命令（複数可）および／またはデータを格納すること、含むこと、さらに／または伝送することができる他の様々な媒体を含むことが可能である。
【００３８】
さらに、「例示的」という語は、例、事例、または例示の役割をすることを意味するように本明細書で使用される。「例示的」と本明細書で説明されるいずれの態様または設計も、他の態様または設計より好ましい、または有利であると必ずしも解釈されるべきではない。むしろ、例示的という語の使用は、概念を具体的に提示することを意図している。本出願で使用される「または」という語は、排他的な「または」ではなく、包含的な「または」を意味することを意図している。つまり、特に明記しない限り、または文脈から明らかでない限り、「Ｘは、ＡまたはＢを使用する」は、自然な包含的な置換のいずれも意味することを意図している。つまり、Ｘが、Ａを使用する場合、Ｘが、Ｂを使用する場合、またはＸが、ＡとＢをともに使用する場合、以上の事例のいずれの元においても、「Ｘは、ＡまたはＢを使用する」が満たされる。さらに、本出願および添付の特許請求の範囲において使用される「或る」という冠詞は、特に明記しない限り、または単数形に向けられるべきことが文脈から明らかでない限り、「１つまたは複数の」を意味するものと一般的に解釈されなければならない。
【００３９】
本明細書で使用される「推測する」または「推測」という用語は、イベントおよび／またはデータを介して捕捉された観察のセットから、システム、環境、および／またはユーザの状態について推量する、または推測するプロセスを一般に指す。推測は、特定の文脈またはアクションを識別するのに使用されることが可能であり、あるいは、例えば、いくつかの状態にわたる確率分布を生成することが可能である。この推測は、確率論的である、つまり、データおよびイベントの考慮に基づく、関心対象の状態にわたる確率分布の計算であることが可能である。また、推測は、イベントおよび／またはデータのセットから、より高いレベルのイベントを構成するために使用される技術を指すことも可能である。そのような推測は、観察されたイベント、および／または格納されたイベントデータのセット、それらのイベントが、時間的に密接に互いに関係しているか否か、およびそれらのイベントおよびデータが、１つのイベントおよびソースの源に由来するか、またはいくつかのイベントおよびデータの源に由来するかということから、新たなイベントまたはアクションの構成をもたらす。
【００４０】
次に図面を参照すると、図１は、１つまたは複数の態様に関連して利用されることが可能であるような、複数の基地局１１０および複数の端末装置１２０を有する無線通信システム１００を示す。基地局（１１０）は、一般に、端末装置と通信する固定局であり、さらにアクセスポイントと呼ばれる、ノードＢと呼ばれる、または他の何らかの用語で呼ばれることも可能である。各基地局１１０は、１０２ａ、１０２ｂ、および１０２ｃというラベルが付けられた、図１に３つの地理的区域として示される、或る特定の地理的区域またはカバレッジ区域に関する通信カバレッジを提供する。「セル」という用語は、この用語が使用される文脈に応じて、基地局、および／または基地局のカバレッジ区域を指すことが可能である。システム容量を向上させるのに、基地局の地理的区域／カバレッジ区域は、より小さい複数の区域（例えば、図１のセル１０２ａに従って、より小さい３つの区域）、１０４ａ、１０４ｂ、および１０４ｃに分割されることが可能である。より小さい各区域（１０４ａ、１０４ｂ、および１０４ｃ）は、それぞれのＢＴＳ（基地トランシーバサブシステム）によるサービスを受けることが可能である。「セクタ」という用語は、この用語が使用される文脈に応じて、ＢＴＳおよび／またはＢＴＳのカバレッジ区域を指すことが可能である。セクタ化されたセルに関して、そのセルのすべてのセクタに関するＢＴＳは、通常、そのセルに関する基地局内に並置される。本明細書で説明される伝送技術は、セクタ化されたセルを有するシステムに関しても、セクタ化されていないセルを有するシステムに関しても使用されることが可能である。簡明のため、以下の説明では、特に明記しない限り、「基地局」という用語は、一般に、セクタにサービスを提供する固定局に関しても、セルにサービスを提供する固定局に関しても使用される。
【００４１】
端末装置１２０は、通常、システム全体にわたって散在し、さらに各端末装置は、固定型または移動型であることが可能である。端末装置は、移動局と呼ばれる、ユーザ機器と呼ばれる、ユーザデバイスと呼ばれる、または他の何らかの用語で呼ばれることも可能である。端末装置は、無線デバイス、セルラー電話機、ＰＤＡ（パーソナルディジタルアシスタント）、無線モデムカードなどであることが可能である。各端末装置１２０は、任意の所与の時点で、ダウンリンク上、およびアップリンク上で０の、１つの、または複数の基地局を相手に通信することが可能である。ダウンリンク（または順方向リンク）とは、基地局から端末装置に至る通信リンクを指し、アップリンク（または逆方向リンク）とは、端末装置から基地局に至る通信リンクを指す。
【００４２】
集中アーキテクチャの場合、システムコントローラ１３０が、複数の基地局１１０に結合され、複数の基地局１１０に関する調整および制御をもたらす。分散アーキテクチャの場合、基地局１１０は、必要に応じて、互いに通信することができる。順方向リンク上のデータ伝送は、しばしば、順方向リンクおよび／または通信システムによってサポートされ得る最大データ転送速度で、またはほぼ最大データ転送速度で１つのアクセスポイントから１つのアクセス端末装置に行われる。順方向リンクのさらなるチャネル（例えば、制御チャネル）が、複数のアクセスポイントから１つのアクセス端末装置に伝送されることが可能である。逆方向リンクデータ通信は、１つのアクセス端末装置から１つまたは複数のアクセスポイントに行われることが可能である。
【００４３】
図２は、様々な態様による、アドホックもしくは無計画の／半計画的な無線通信環境２００の図である。システム２００は、互いに、さらに／または１つまたは複数の移動デバイス２０４を相手に無線通信信号の受信、送信、中継などを行う１つまたは複数のセルおよび／またはセクタにおける１つまたは複数の基地局２０２を備えることが可能である。図示されるとおり、各基地局２０２は、２０６ａ、２０６ｂ、２０６ｃ、および２０６ｄというラベルが付けられた、４つの地理的区域として示される、或る特定の地理的区域に関する通信カバレッジを提供することが可能である。各基地局２０２は、当業者には認識されるとおり、送信機チェーンと、受信機チェーンとを備えることが可能であり、これらのチェーンのそれぞれは、信号送信および信号受信に関連する複数の構成要素（例えば、プロセッサ、変調器、多重化装置、復調器、逆多重化装置、アンテナなど）を備えることが可能である。移動デバイス２０４は、例えば、セルラー電話機、スマートフォン、ラップトップ、ハンドヘルド通信デバイス、ハンドヘルドコンピューティングデバイス、衛星ラジオ、グローバルポジショニングシステム、ＰＤＡ、および／または無線ネットワーク２００を介して通信するための他の任意の適切なデバイスであることが可能である。システム２００は、後出の図に関連して本明細書で説明されるとおり、無線通信環境（２００）において同期されたＯＴＡメッセージ伝送を提供すること、さらに／または利用することを円滑にするために、本明細書で説明される様々な態様に関連して使用されることが可能である。
【００４４】
図３は、移動体通信環境における同期メッセージに関して、より小さい干渉をもたらす例示的なシステム３００のブロック図である。システム３００の文脈で利用される同期メッセージには、ＳＳＣが含まれることが可能である。また、本明細書で説明されるとおり、ＰＳＣ（一次同期コード）の態様、またはＰ−ＳＣＨの態様が、ＳＳＣの干渉を低減するのに使用され得ることも認識されたい。システム３００に関係する移動体通信環境は、以降、ひとまとめにしてＬＴＥと呼ばれる、３ＧＰＰ（third generation partnership project）ＬＴＥ（long term evolution）システム、Ｅ−ＵＴＲＡＮ（evolved UMTS（universal mobile telecommunication system）地上無線アクセス網）システム、または以上の組合せなどを含むことが可能であることをさらに認識されたい。例えば、ＯＦＤＭＡ（直交周波数分割多元接続）アクセス技術、例えば、ＯＦＤＭ（直交ＦＤＭ）、ＣＯＦＤＭ（コード化ＯＦＤＭ）、および／または類似したＦＤＭを含むＦＤＭ（周波数分割多重化）を使用する他の適切な移動体通信アーキテクチャが、そのような移動体通信環境に含められる。当業者は、後述の技術を、ＣＤＭＡ（符号分割多元接続）環境（例えば、ＣＤＭＡ２０００、３ＧＰＰ２など）、ＴＤＭＡ（時分割多元接続）環境（例えば、ＴＤＭＡ）、ＴＤＤ（時分割複信）環境、または以上の適切な組合せ（例えば、ＴＤ−ＣＤＭＡ、ＴＤ−ＳＣＤＭＡ、ＵＭＴＳ−ＴＤＤ、ＦＤＭＡ／ＴＤＭＡ／ＦＤＤなど）を含む、他の移動体通信環境に適用する適切な機構を決定することができることをさらに認識されたい。
【００４５】
システム３００は、ＲＡＮ３０６（例えば、Ｅ−ＵＴＲＡＮ）の１つまたは複数の基地局に結合されたＳＳＣジェネレータ３０２を備えることが可能である。１つまたは複数のデバイス３０４が、ＲＡＮ３０６によるサービスを受けることが可能である。基地局（３０６）は、移動デバイス３０４を相手に、デバイス３０４とＯＴＡメッセージを交換することによって、通信することができる。移動デバイス３０４に送信されるＯＴＡメッセージは、通常、そのような通信を円滑にする１つまたは複数の同期メッセージを含む。例えば、ＰＳＣが、メッセージの中でデータがどこにパックされているか、メッセージ長、同期周波数などを示すのに利用されることが可能である。ＳＳＣは、この事前情報、ならびに送信側基地局３０６のＩＤを供給することができる。このため、ＳＳＣは、マルチ送信機サイト３０６において或る基地局（３０６）を別の基地局（３０６）と区別するように移動デバイス３０４によって利用されることが可能である。
【００４６】
複数のＯＴＡメッセージが、実質的に同時の時点で、複数の基地局によって送信される場合、これらのメッセージ間の干渉が、もたらされることが可能である。同期情報に関する干渉は、逸せられるメッセージ、移動デバイス３０４における電力消費の増加、および通信の非効率につながる可能性がある。干渉が生じることを軽減するのに、ＳＳＣジェネレータ３０２は、２つのＳＳＣが、受信側デバイス（３０４）において互いに干渉するゆう度を低減するように１つまたは複数のスクランブルコードを使用することができる。
【００４７】
システム３００は、ＲＡＮ３０６の基地局に関する１つまたは複数のＳＳＣを作成するのに利用される系列行列を生成する論理プロセッサ３０８をさらに備えることが可能である。例えば、系列、系列ペア、系列トリプレットなどが、ＳＳＣを生成するのに利用されることが可能である。一態様では、長さ３１の系列（例えば、３１のバイナリビットを有するバイナリ系列）のペアが、６２ビットＳＳＣを生成するのに使用される。これらの系列ペアは、論理プロセッサ３０８によって生成された系列行列から選択されることが可能である。一実施例では、系列行列は、長さ３１の単一の基本Ｍ系列から生成されることが可能である。そのような系列は、適切な多項式から導き出されることが可能である。他の態様では、論理プロセッサ３０８は、ＳＳＣスクランブルコードのための系列を生成するのにデータ変換モジュール３１０（後出）によって使用されるのとは異なる多項式から基本Ｍ系列を導き出す。或る特定の実施例として、基本Ｍ系列を生成するのに利用される多項式は、ＧＦ（２）上のｘ＾５＋ｘ＾２＋１という形態であることが可能であり、ただし、ＧＦ（２）は、式の結果を２進数に制限するガロア体を示す。
【００４８】
基本系列が、論理プロセッサ３０８によって生成されると、系列行列をポピュレートする基本系列の変化系列が、形成されることが可能である。一部の態様では、基本系列の桁数と実質的に等しい数の変化系列が、生成される。（例えば、基本系列が、３１桁を備える場合、２９、３０、３１、または実質的に同様の数の変化系列が、生成される。）これらの変化系列は、系列行列（例えば、行列の第１の行、第２の行、第３の行などが、基本系列、第１の変化系列、第２の変化系列などをそれぞれ備え、さらに行列の第１の列、第２の列、第３の列などが、各系列の第１の桁、第２の桁、第３の桁などをそれぞれ備え、例えば、前出の図４を参照されたい）を形成するように基本系列と組み合わされる。
【００４９】
系列行列が定義されると、論理プロセッサは、ＳＳＣを生成するのに利用されることが可能な行列から、複数の系列を選択することができる。一実施例として、長さ３１の系列のペアが、長さ６２のＳＳＣを形成するように選択されることが可能である。次に、そのような各ＳＳＣが、ＲＡＮ３０６の１つまたは複数の基地局に割り当てられることが可能であり、さらにそのような基地局を他の基地局と区別する識別情報（例えば、基地局ＩＤ）を担持することが可能である。後出の図５および図６でより詳細に説明されるとおり、この選択は、もたらされるＳＳＣのＰＡＰＲ、または信号相関、または以上の組合せなどを含むが、以上には限定されない、複数の要因に基づくことが可能である。ＲＡＮ３０６によって送信されるＳＳＣの間の干渉を低減するのに、これらのＳＳＣは、後段で説明される、ＰＳＣベースの系列などの１つまたは複数のスクランブル系列を使用することによってスクランブルされることが可能である。
【００５０】
システム３００は、系列行列の少なくとも１つの系列を、共通のバイナリスクランブルコードでスクランブルするデータ変換モジュール３１０をさらに備えることが可能である。少なくとも１つの態様において、このスクランブルコードは、共通の多項式から導き出された複数の系列を使用する系列モジュール３１２によって生成されることが可能である。この共通の多項式および／または導き出される系列は、無線通信に関連するＰＳＣ（例えば、ＯＴＡメッセージ）に基づくことが可能である。実施例として、ＰＳＣから導き出された指標が、スクランブルコードを生成する系列ペア、系列トリプレットなどを（例えば、スクランブルコード系列行列から）選択するのに使用されることが可能である。ＰＳＣに基づくスクランブルコード系列の選択は、複数のＳＳＣのＯＴＡ伝送に関して、より小さい干渉をもたらすことが可能である。
【００５１】
データ変換モジュール３１０は、このスクランブルコードを、多重化されたＳＳＣ、ＳＳＣの成分（例えば、そのＳＳＣを形成する系列ペア、系列トリプレットなどの系列）、または系列行列自体の系列をスクランブルするのに使用することができることを認識されたい。１つの特定の実施例では、データ変換モジュール３１０は、系列行列生成するのに利用される基本系列をスクランブルすることができる。系列行列を形成するのに利用されるスクランブルされた基本系列の派生系列（例えば、巡回シフトされた変化系列）も、本来的にスクランブルされている。したがって、系列行列は、スクランブルされた系列（例えば、スクランブルされた基本系列、またはそのような系列の変化系列を使用することによって）、スクランブルされていない系列（例えば、スクランブルされていない基本系列、またはそのような系列の変化系列を使用することによって）、または以上の両方から形成されることが可能である。スクランブルされた系列の行列は、後段でより詳細に説明されるとおり、論理プロセッサ３０８によって選択され、多重化モジュール３１４によってインタリーブされ、さらに伝送プロセッサ３１６によってＯＴＡメッセージにマップされることが可能である。
【００５２】
他の実施例では、スクランブルコードは、スクランブルされていない系列行列から選択された１つまたは複数のスクランブルされていない系列に適用されることが可能である。例えば、データ変換モジュール３１０が、そのような行列から選択された複数の短い系列をスクランブルすることが可能であり、次に、これらの系列が、完全な長さのＳＳＣ系列を形成するように多重化モジュール３１４によってインタリーブされる。別の実施例として、多重化モジュール３１４がまず、これらの短い系列をインタリーブし、次に、もたらされた完全な長さの系列をデータ変換モジュール３１２に供給することが可能であり、モジュール３１２は、この完全な長さの系列をスクランブルする。次に、このスクランブルされた系列が、１つまたは複数の基地局（３０６）に関するＳＳＣとして利用される。
【００５３】
当業者に知られている、または本明細書で与えられる文脈によって当業者に明らかにされる様々なタイプのスクランブルコードが、系列モジュール３１２によって生成されることが可能である。前述したとおり、系列モジュール３１２は、共通の多項式、または異なる多項式から様々な系列（例えば、Ｍ系列）を生成することができる。少なくとも１つの態様において、３つの長さ６３のＭ系列に基づくスクランブルコードが、生成され、それぞれの長さ６３の系列は、１ビットだけ切り捨てられて、スクランブルコードが形成される（または、例えば、１ビットが、０に変更され、さらに無線伝送のＤＣトーンにマップされる）。別の実施例では、３つの長さ３１のＭ系列に基づくスクランブルコードが、生成され、さらに繰り返しを使用して、３つの長さ６２のスクランブルコードが生成される（例えば、Ｂが、長さ３１の系列である場合、繰り返しは、［Ｂ，Ｂ］という形態であることが可能である）。
【００５４】
少なくとも１つの特定の態様において、複数のスクランブルコード系列のそれぞれが、単一の多項式から形成されることが可能である。一態様では、この多項式は、１＋ｘ＾２＋ｘ＾３＋ｘ＾４＋ｘ＾５という形態であることが可能である。もたらされるスクランブルコード系列は、Ｃ（０，ｎ）によって表されることが可能である。適切なスクランブル系列の或る特定の例として、Ｃ（０，ｎ）が、以下のＭ系列を表すことが可能である。すなわち、
Ｃ（０，ｎ）＝｛−１，１，１，１，−１，−１，−１，１，−１，１，−１，１，１，−１，１，−１，−１，−１，−１，１，１，−１，−１，１，−１，−１，１，１，１，１，１｝
以上の系列Ｃ（０，ｎ）は、基本Ｍ系列を表すことが可能である。基本Ｍ系列の巡回シフトされた変化系列（例えば、後出の図４を参照）が、Ｃ（ｋ，ｎ）＝Ｃ（０，（ｎ＋ｋ）ｍｏｄ  Ｎ）として定義されることが可能である。したがって、長さ６３のスクランブルコードは、以下のとおり獲得されることが可能である。すなわち、
［Ｃ（ｕ，０），Ｃ（ｕ，０），．．．，Ｃ（ｕ，１４），Ｃ（ｕ，１４），Ｃ（ｕ，１５），０，Ｃ（ｕ，１５），Ｃ（ｕ，１６），Ｃ（ｕ，１６），．．．，Ｃ（ｕ，３０），Ｃ（ｕ，３０）］
ただし、０は、周波数ベースの伝送のＤＣトーンにマップされることが可能である。他の長さのコードは、Ｃ（ｋ，ｎ）に関するｋおよびｎに関して適切な値を設定することによって（例えば、ｋおよびｎは、０より大きい適切な値を有することが可能である）、生成されることが可能であることを認識されたい。長さ６３の事例の場合、「ｕ」個の異なる値を選択することによって、異なるスクランブルコードが生成されることが可能である。「ｕ」の値は、そのような系列のセットに関するスクランブルコード系列の所望される数に基づいて、選択されることが可能である。例えば、基本Ｍ系列の５つの変化系列、１０の変化系列、２０の変化系列などが選択されることが可能である。可能な３１の系列に関して、「ｕ」は、セット｛０，．．．，３０｝に対応することが可能である。
【００５５】
少なくとも１つの態様において、系列モジュール３１２は、式Ｃ（ｋ，ｎ）＝Ｃ（０，（ｎ＋ｋ）ｍｏｄ  Ｎ）から３つのスクランブル系列を生成することができる。スクランブルコードは、「ｕ」の以下の３つの値、すなわち、｛０，１０，２０｝に対応して、このため、基本Ｍ系列、基本系列の第１０番の巡回シフトされた変化系列、および基本系列の第２０番の巡回シフトされた変化系列を利用することが可能である。もたらされる３つのスクランブルコード系列は、以下のとおりである。すなわち、
Ｃ（０，ｎ）＝｛−１，１，１，１，−１，−１，−１，１，−１，１，−１，１，１，−１，１，−１，−１，−１，−１，１，１，−１，−１，１，−１，−１，１，１，１，１，１｝
Ｃ（１０，ｎ）＝｛−１，１，１，−１，１，−１，−１，−１，−１，１，１，−１，−１，１，−１，−１，１，１，１，１，１，−１，１，１，１，−１，−１，−１，１，−１，１｝
Ｃ（２０，ｎ）＝｛１，−１，−１，１，−１，−１，１，１，１，１，１，−１，１，１，１，−１，−１，−１，１，−１，１，−１，１，１，−１，１，−１，−１，−１，−１，１｝
以上のスクランブル系列は、異なる長さのスクランブルコード（例えば、長さ６２のスクランブルコード）を生成するのに使用されることが可能であり、さらにＳＳＣ系列と組み合わされることが可能である。スクランブルされた系列は、後段で説明されるとおり、無線伝送にマップされる。共通の多項式のスクランブル系列を使用することによって、送信されるＳＳＣの間で干渉の大幅な低減が、達せられることが可能である。
【００５６】
システム３００は、伝送プロセッサ３１６をさらに備えることが可能である。伝送プロセッサ３１６は、ＳＳＣをＯＴＡメッセージの成分の上にマップすることができる。具体的には、ＳＳＣは、周波数ベースのメッセージ（例えば、ＦＤＭ、ＯＦＤＭ、ＯＦＤＭＡ）の副搬送波チャネル上に、符号ベースのメッセージ（例えば、ＣＤＭＡ、ＣＤＭＡ−２０００、ＷＣＤＭＡ（登録商標）［ワイドバンドＣＤＭＡ］）の符号分割上に、時間ベースのメッセージ（例えば、ＴＤＭＡ）の時分割上に、または複合システムメッセージ（例えば、ＴＤ−ＣＤＭＡ、ＴＤ−ＳＣＤＭＡ、ＵＭＴＳ−ＴＤＤ、ＦＤＭＡ／ＴＤＭＡ／ＦＤＤなど）の適切な下位成分（sub-component）上にマップされることが可能である。ＯＴＡメッセージは、そのメッセージおよびＳＳＣを復号するための適切な技術を使用することができる移動デバイス３０４において受信されることが可能である。少なくとも１つの事例において、移動デバイス３０４は、ＳＳＣジェネレータがＳＳＣを符号化する／スクランブルするために使用するように、実質的に逆のプロセスを、ＳＳＣを復号するために使用することができる。ＳＳＣを復号するための命令は、移動デバイス３０２上にあらかじめロードされること、ネットワークパッチなど（例えば、サービスプロバイダのネットワークサーバにおけるソフトウェアパッチおよび／またはファームウェアパッチ）からダウンロードされること、またはＯＴＡメッセージ内に（例えば、メッセージプリアンブルなどの中に）含められることが可能である。
【００５７】
説明されるとおり、システム３００は、無線通信に関して相当な利益をもたらすことができる。共通の多項式から生成され、対応するＰＳＣに基づいて指標を付けられるＳＳＣスクランブルコードは、複数の基地局（３０６）によって送信されるＳＳＣに関して、より小さい干渉をもたらすことができる。そのような結果は、干渉が大きい可能性があり、さらにＳＮＲ（ＳＮ比）が比較的低い可能性がある、半計画的な展開、または無計画の展開において、多数の基地局（３０６）が存在する場合に、さらに大きな利益となる可能性がある。したがって、システム３００は、不利な無線環境に関してさえ、より高い効率、およびより高いＯＴＡ信頼性をもたらすことができる。
【００５８】
図４は、本明細書で説明される様々な態様に関して同期コードおよび／またはスクランブルコードを生成するのに利用されることが可能である例示的な系列行列４００を示す。系列行列４００は、行列４００の行によって表されるいくつかの系列を備える。行列の第１の（最上の）行は、基本系列である。行列の、より下の行は、基本系列の変化系列である。図４に示されるとおり、これらの、より下の行は、基本系列の巡回シフトされた変化系列であり、ただし、当技術分野で知られている、バイナリ基本系列の他の適切な変化系列が、４００で示される系列行列と同様の系列行列を生成するのに利用されることも可能であることを認識されたい。系列行列４００の間に示される矢印によって示されるとおり、巡回シフトは、基本系列の変化系列が、各系列ビットを、前の系列と比べて、１つの位置、つまり、１つの行列列だけシフトさせることによって形成される単一桁シフトである。このため、基本系列に関するビット１は、−１であり、行列の行２に示される基本系列の第１の巡回シフトされた変化系列は、第２のビット（第２の列）に同一の−１を有する。さらに、基本系列の各ビットは、第１の巡回シフトされた系列において次の右端の列に移動されている。各ビットが、前の系列に対して、単一の列ではなく、２つの列、３つの列などの移動をされるように、複数回の巡回シフトが、代わりに使用されることも可能であることを認識されたい。
【００５９】
行列のさらなる行は、基本系列のさらなるシフトを示す。このため、第２の巡回シフトされた系列（行３）のビットは、基本系列（行１）から２列だけ移動されており、各行にわたって以下同様である。「Ｌ」という系列長に基づいて、「Ｌ」個の列を有する行列の場合、行列は、基本系列と、基本系列のＬ−１個の単一巡回シフトされた変化系列とを含む少なくとも「Ｌ」個の一意の系列を備えることが可能である。そのような系列は、本明細書で説明されるとおり、同期コードおよび／またはスクランブルコードを生成するのに使用されることが可能である。「Ｌ」が、所望されるコード長と合致する場合、行列４００の単独の系列が、そのようなコードを作成するのに使用されることが可能である。代替として、「Ｌ」が、所望されるコード長より短い場合、行列４００の複数の系列が、コードを作成するのに使用されることが可能である。
【００６０】
以上を例示する例として、所望されるコード長（例えば、ＳＳＣ長）が、６２ビットである。「Ｌ」が、６２と等しい場合、行列４００の単一の系列が、コードを形成するのに利用されることが可能である。「Ｌ」が、３１と等しい場合、行列４００の系列ペアが、そのコードを形成するようにインタリーブされる。「Ｌ」が、２１と等しい場合、系列トリプレットが、それらの系列の１つが１ビットだけ切り捨てられて、そのコードを生成するようにインタリーブされることが可能である。また、実質的に同様の系列長が、ビット切り捨ておよび／またはビット繰返しと併せて使用されることが可能である（例えば、長さ６３のＭ系列が、長さ６２のコードを形成するように１ビットだけ切り捨てられることが可能であり、また、長さ３０または長さ３２の系列ペアが、長さ６２のコードを形成するように、それぞれ、単一ビット繰返し、または単一ビット切り捨てと併せて使用されることも可能であるといった具合である）ことも認識されたい。
【００６１】
数十または数百の基地局が、共通の地理的サイトにおいて動作する高密度の基地局展開の場合（例えば、前出の図１を参照）、目標コード長より短い長さの系列のペア、トリプレットなどを使用することが、有益であり得る。このことは、単独の系列と比べて、はるかに多くの一意の系列ペア、系列トリプレットなどが、系列行列４００から抽出されることが可能であるという事実による。例えば、「Ｌ」が。６２と等しく、さらに所望されるＳＳＣ長が、６２ビットである場合、６２の異なるＳＳＣを形成する６２の一意の単独の系列が、存在する。しかし、行列４００が、「Ｌ」＝３１を有し、さらに長さ６２のＳＳＣに関する場合、９６１個の異なるＳＳＣを形成することができる９６１（３１＾２）個の系列ペアが、存在する。別の例として、「Ｌ＝２０」または「Ｌ＝２１」の場合、（ビット繰返しまたはビット切り捨てを使用して）異なるＳＳＣを生成することができる、それぞれ、８０００または９２６１の系列トリプレット組合せが、存在する。したがって、所望されるＳＳＣ長に関して適切な系列長を選択すること、および系列のペア、トリプレットなどを使用することによって、行列（４００）によって生成される一意のコードの数を増やすことができる。
【００６２】
主張される主題の少なくとも１つの特定の実施例において、行列４００は、３１と等しい長さ「Ｌ」の３１のＭ系列を有する正方行列である。基本系列は、ＧＦ（２）上のｘ＾５＋ｘ＾２＋１という形態の多項式から生成されるバイナリ系列である。さらに、さらなる系列は、基本系列の単一巡回シフトされた変化系列（例えば、系列行列４００の矢印によって示されるとおりの）である。系列のペアが、異なる様々なＳＳＣコードを形成するように選択されて、インタリーブされることが可能である。本明細書の別の箇所で説明されるとおり、ＳＳＣスクランブルは、様々な仕方で実施されることが可能である（例えば、前出の図３を参照）。一実施例では、選択されたペアが、長さ６２の系列を形成するようにインタリーブされ、次に、スクランブルされることが可能である。代替として、選択された長さ３１の系列が、スクランブルされ、次に、長さ６２の系列を形成するようにインタリーブされることが可能である。さらに別の代替として、基本Ｍ系列は、行列４００の巡回シフトされた各変化系列もスクランブルされるように、スクランブルされることが可能である。次に、スクランブルされた系列ペアが、長さ６２のＳＳＣコードを形成するように選択されて、インタリーブされることが可能である。オプションとして、０ビットが、長さ６３のコードを形成するように長さ６２のコードに追加されることが可能であり、ただし、この０ビットは、無線伝送のＤＣトーンにマップされる。このため、デバイスにおいて受信される重なり合う無線メッセージの干渉を低減する様々な機構が使用されて、向上した受信、および向上した全体的な通信がもたらされるとともに、潜在的に受信側デバイスにおける電力が低減される（例えば、再送を回避することによって）ことが可能である。
【００６３】
図５は、マルチ送信機移動体サイトにおいて、送信されたＳＳＣに関して、より小さい干渉をもたらす例示的なシステム５００のブロック図を示す。より具体的には、システム５００は、もたらされるＳＳＣを生成するための系列組合せを選択するための選択的コードブックを提供する。一部の態様では、これらの系列組合せは、もたらされるＳＳＣの基礎をなす特性に基づくことが可能である。したがって、移動体通信環境において望ましい特徴をもたらすＳＳＣを適切に選択することによって、向上した無線伝送が達せられることが可能である。
【００６４】
システム５００は、ＲＡＮ（示されていないが、３０６で、図３を参照）の基地局５０４に割り当てられることが可能な１つまたは複数のＳＳＣを生成するための系列、または系列のグループ（例えば、系列ペア）を識別するＳＳＣ指標セレクタ５０２を含む。ＳＳＣ指標セレクタ５０２は、系列、または系列のグループが選択されることが可能な系列行列を形成する論理プロセッサ５０６を備えることが可能である。系列行列は、基本系列、および基本系列のいくつかの変化系列を利用して形成されることが可能である。少なくとも１つの態様では、基本系列は、長さｎ＋１のバイナリＭ系列であり、さらに行列は、基本系列と、基本系列のｎ個の巡回シフトされた変化系列とを備える（例えば、前出の図４に示されるとおり）。指標付けモジュール５０８が、系列行列の系列および／または系列のグループに指標を割り当てることができる。系列／系列のグループは、割り当てられた指標を参照して選択されることが可能である。本開示の少なくとも１つの態様では、指標モジュールは、実質的に（ｎ＋１）Ｘ個の指標を割り当て、ただし、Ｘは、グループの中の系列の数である。このため、単独の系列の場合、実質的にｎ＋１個の指標が、割り当てられる。系列ペアの場合、実質的に（ｎ＋１）＾２個の指標が、割り当てられるといった具合である。
【００６５】
ＳＳＣを要求する基地局（５０４）より多くの異なるＳＳＣ系列組合せが存在する場合、簡潔化モジュール５１０が、もたらされるＳＳＣの特性に基づいて、系列／系列グループを選択することができる。これらの特性は、例えば、ＳＳＣの干渉、電力損失、相互相関、および同様の特性を算出することができる信号エミュレータの結果に基づくことが可能である。低いＰＡＰＲなどの、望ましい特性を有するＳＳＣをもたらす系列／系列グループが、ＳＳＣを生成するように選択されることが可能である。
【００６６】
システム５００の態様を例示する特定の実施例として、論理プロセッサ５０６が、３１個の長さ３１の系列を有する系列行列を定義する。この行列の系列ペアは、（ｕ，ｖ）によって表されることが可能であり、ただし、ｕとｖはともに、値｛０，．．．，３０｝を有する。いくつかの長さ６２のＳＳＣが、系列行列の系列ペア（ｕ，ｖ）に基づいて、生成されることが可能である。指標付けモジュール５０８が、系列行列の９６１個の異なる系列ペアに（ｎ＋１）＾２個、つまり、９６１個の指標を割り当てる。ｒ＝ｕ＊３１＋ｖという形態のアルゴリズムが、これらの指標を生成するのに使用されることが可能である。この実施例の一態様では、簡潔化モジュール５１０が、系列ペアから成るＳＳＣ信号の特性に基づいて、９６１個の異なる指標のうち１７０個を選択する（例えば、共通のＰＳＣベースのスクランブルコードによって提供されるとおり、系列をスクランブルすること、およびインタリーブすることを含む）。次に、選択されたＳＳＣの１つまたは複数（例えば、ペア）が、伝送プロセッサ５１２によって（例えば、変調器、信号コーダなどを使用して）、無線フレームのフレーム境界を解決するように無線フレームに変調されることが可能である。この実施例の１つの特定の態様として、実質的に６．７５ｄＢ（デシベル）の最大ＰＡＰＲに対応する以下のＳＳＣ指標ｒ＝ｕ＊３１＋ｖが、使用されることが可能である。すなわち、
１６  １８  ２０  ３３  ６２  ６３  ６６  ７０  ７１  ７５  ８０  ８３  ９３
９９  １０４  １０５  １１３  １１６  １２１  １２５  １２６  １４０  １５３  １６８  １６９
１７０  １７３  １８９  １９０  １９１  ２０３  ２０４  ２１０  ２１１  ２２０  ２２６  ２２８
２３３  ２３６  ２４１  ２５１  ２６１  ２６７  ２６８  ２７０  ２７８  ２８７  ２９３  ３００
３０４  ３１３  ３１７  ３２７  ３３２  ３３６  ３３８  ３３９  ３４４  ３４６  ３５５  ３６７
３７７  ３７９  ３８８  ３９５  ３９９  ４０１  ４１７  ４１８  ４１９  ４２２  ４２４  ４２６
４３５  ４３９  ４４５  ４５２  ４５３  ４５６  ４５７  ４６６  ４７５  ４７８  ４８２  ４８６
４８８  ４９３  ４９８  ５０８  ５１５  ５１６  ５１７  ５１８  ５３１  ５３３  ５３４  ５４３
５４６  ５５３  ５５４  ５６０  ５６５  ５８７  ５８９  ５９２  ６０６  ６１４  ６１８  ６２１
６２３  ６２５  ６２８  ６３１  ６３６  ６４５  ６５３  ６６５  ６７７  ６７８  ６８４  ７００
７０７  ７０８  ７１１  ７１３  ７１４  ７１９  ７２５  ７２８  ７３５  ７３８  ７４５  ７５１
７５２  ７５５  ７６５  ７７０  ７７７  ７８１  ７８９  ７９７  ８０１  ８０２  ８１０  ８１６
８１８  ８１９  ８２６  ８２９  ８３１  ８５１  ８５４  ８５６  ８６２  ８６３  ８７１  ８７９
８８９  ８９７  ９０１  ９０９  ９１０  ９１３  ９１６  ９１７  ９３０  ９３８  ９４０  ９４６
９５４
この実施例の別の態様では、簡潔化モジュール５１０が、やはり、選択された系列ペアから成るＳＳＣ信号の特性に基づいて、９６１個の異なる指標のうち３４０個を選択する。もたらされる３４０のＳＳＣの１つまたは複数から導き出される異なるトーン（例えば、ＳＳＣのペアの異なるトーン）が、伝送プロセッサ５１２によって、無線フレームのフレーム境界を解決するように無線フレームに変調されることが可能である。１つの特定の態様では、実質的に７．１８ｄＢの最大ＰＡＰＲに対応する以下のＳＳＣ指標ｒ＝ｕ＊３１＋ｖが、使用されることが可能である。
【００６７】
２  ５  ６  ７  １１  １４  １７  １８  ２０  ２３  ２７  ３０  ３３
３７  ３９  ４１  ４３  ４４  ４７  ５０  ５３  ６０  ６１  ６３  ６５  ６６
６８  ７０  ７１  ７４  ７５  ８０  ８４  ８６  ８８  ９９  １０１  １０２  １０４
１０５  １０７  １１１  １１３  １１４  １１５  １１６  １２１  １２５  １２６  １３７  １４０
１４４  １５１  １５３  １５５  １５８  １６８  １６９  １７０  １７３  １８３  １８７  １８９
１９０  １９１  １９７  ２０３  ２０４  ２０５  ２０９  ２１０  ２１１  ２１２  ２１７  ２１９
２２０  ２２５  ２２６  ２２７  ２２８  ２３３  ２３６  ２３８  ２４０  ２４１  ２５７  ２５９
２６１  ２６３  ２６６  ２６７  ２６８  ２７０  ２７１  ２７６  ２７７  ２７８  ２８５  ２８６
２９０  ２９２  ２９３  ２９４  ３００  ３０３  ３０４  ３０６  ３０７  ３１０  ３１１  ３１２
３１３  ３１６  ３１７  ３２７  ３３１  ３３２  ３３６  ３３８  ３３９  ３４１  ３４２  ３４４
３４６  ３４７  ３５３  ３５９  ３６０  ３６２  ３６３  ３６５  ３７２  ３７３  ３７４  ３７７
３７９  ３８２  ３８３  ３８８  ３９４  ３９９  ４０１  ４０６  ４１３  ４１７  ４１８  ４１９
４２０  ４２１  ４２２  ４２４  ４２６  ４３０  ４３９  ４４２  ４４５  ４４６  ４５０  ４５２
４５３  ４５４  ４５６  ４５７  ４６３  ４６６  ４７５  ４７８  ４８２  ４８３  ４８５  ４８６
４９２  ４９３  ４９４  ４９５  ４９８  ４９９  ５０５  ５０６  ５０８  ５１３  ５１５  ５１６
５１７  ５１８  ５１９  ５２７  ５２８  ５３１  ５３３  ５３４  ５３９  ５４３  ５４９  ５５０
５５３  ５５４  ５６０  ５６５  ５６９  ５７０  ５７１ ５７２  ５７３  ５７９  ５８３  ５８７
５８８  ５８９  ５９０  ５９２  ５９４  ５９６  ６０３  ６０６  ６０７  ６０９  ６１０  ６１４
６２０  ６２１  ６２５  ６３０  ６３１  ６３４  ６３６  ６３７  ６４２  ６４５  ６４６  ６５３
６５７  ６５９  ６６１  ６６４  ６６８  ６７５  ６７７  ６７８  ６７９  ６８１  ６８２  ６８４
６８６  ６９０  ６９４  ６９９  ７００  ７０２  ７０７  ７０８  ７０９  ７２０  ７２５  ７２６
７２８  ７３２  ７３３  ７３５  ７３８  ７３９  ７４０  ７４１  ７４７  ７５１  ７５２  ７５３
７５５  ７６０  ７６４  ７６７  ７７０  ７７２  ７７３  ７８０  ７８１  ７８２  ７８５  ７８７
７８９  ７９１  ７９５  ７９７  ８０１  ８０２  ８０５  ８１０  ８１１  ８１５  ８１８  ８１９
８２１  ８２３  ８２５  ８２６  ８３０  ８３１  ８３８  ８４２  ８４５  ８４６  ８５１  ８５３
８５４  ８５６  ８６２  ８６３  ８６８  ８７１  ８７５  ８７６  ８７８  ８７９  ８８１  ８８９
８９１  ８９２  ８９７  ９０１  ９０６  ９０７  ９０９  ９１０  ９１３  ９１６  ９１７  ９１８
９１９  ９２５  ９３０  ９３５  ９３６  ９４０  ９４２  ９４３  ９４４  ９５１  ９５４  ９５７
９５９
コード指標を選択するためのさらに別の実施例では、１７０、３４０、または別の適切な数の指標が、単一のＳＳＣにおいて使用される重なり合うコード指標の数を最小限に抑えることに基づいて、選択されることが可能である。例えば、長さ３１の系列の第１のセット「ｕ」が、指標｛０，１，２，．．．，１９｝を使用することが可能である。長さ３１の系列の第２のセット「ｖ」が、もたらされるＳＳＣの「ｕ」系列と「ｖ」系列の間の重なり合いが、最小限に抑えられるように指標｛１１，１３，１４，．．，３０｝を使用することが可能である。指標重なり合いの低減は、一部の事例では、送信される符号の間の干渉の低減をもたらすことが可能である。
【００６８】
前述したとおり、システム５００は、送信される同期信号の基礎をなす特性に基づいて、ＳＳＣを選択するＳＳＣコードブックを提供することが可能である。そのような結果は、移動体環境における端末デバイスに関する、向上した信号受信、繰返しのトラヒックの減少（例えば、より少ないデータ再送要求）、およびそのような端末装置に関する、より低い電力消費につながることが可能である。したがって、移動体通信環境に関して相当な利益が、システム５００によって提供されることが可能である。
【００６９】
図６は、ＳＳＣ伝送の間の干渉を低減するために、本明細書で説明されるＳＳＣコードブックを使用する例示的なシステム６００のブロック図を示す。ＳＳＣコードの選択は、シミュレートされたＳＳＣの伝送電力特性および／または相互相関特性と、１つまたは複数のしきい値との比較に基づくことが可能である。もたらされるＳＳＣは、伝送のフレーム境界を解決するように無線伝送（例えば、無線フレーム）に変調されることが可能である。ＳＳＣ選択は、基礎をなすＳＳＣ特性に基づくため、移動体通信に関して向上した電力特性および／または相関特性が、システム６００によって提供されることが可能である。
【００７０】
システム６００は、系列行列の系列または系列のグループに指標付けをするＳＳＣ指標セレクタ６０２を備える。指標セレクタは、指標によって識別される或る特定の系列からもたらされる、シミュレートされたＳＳＣコード６０４の電力特性および／または相互相関特性に基づいて、１つまたは複数の指標を選択することができる。特定された電力特性および／または相互相関特性は、１つまたは複数のしきい値との比較に基づいて、限定されることが可能である。例えば、簡潔化モジュール６０６が、ＳＳＣ  ＰＡＰＲとＰＡＰＲしきい値（例えば、公称ＯＦＤＭシンボルに基づく）の比較、ＳＳＣ相互相関と相互相関しきい値の比較、またはこの両方に基づいて、或る特定の指標の選択を条件付けることができる。このため、所定の品質特性を有する、もたらされるＳＳＣが、生成されることが可能である。
【００７１】
システム６００は、信号シミュレーションモジュール６０８を使用して、或る特定の指標によって識別された系列からもたらされる、シミュレートされたＳＳＣ（６０４）のＰＡＰＲを算出することができる。信号シミュレーションモジュール６０８は、この特定されたＰＡＰＲをしきい値ＰＡＰＲと比較して、結果を簡潔化モジュール６０６に転送することができる。無線伝送に関して比較的低いＰＡＰＲが、通常、有益であり（例えば、通常の周波数変調された信号の伝送と比べて）、多くの事例においてダウンリンク伝送に無視できるほどの影響しかもたらさない。このため、しきい値は、通常、いくつかの最大の許容可能なＰＡＰＲ、所望されるＰＡＰＲの範囲内の許容可能なレンジ（例えば、所望されるＰＡＰＲの３ｄＢ範囲内）、所望されるＰＡＰＲを下回るＳＳＣの数（例えば、所望されるＰＡＰＲを下回るＰＡＰＲ値を有する３０個のＳＳＣ）など、または以上の適切な組合せを指定することが可能である。
【００７２】
また、システム６００は、或る特定の指標によって識別された系列からもたらされる、シミュレートされたＳＳＣ（６０４）の相互相関係数を算出する信号相関モジュール６１０を使用することも可能である。信号相関モジュール６１０は、特定された相互相関を相互相関しきい値と比較して、シミュレートされたＳＳＣ６０４を限定することができる。他の信号と強く相関している信号は、しばしば、大きい干渉を示すことが可能であり、このため、最小の相互相関が、所望されることが可能である。したがって、簡潔化モジュール６０６は、しきい値相関以下である相互相関に少なくとも部分的に基づいて、或る特定の系列指標の選択の条件とすることができる。一態様では、簡潔化モジュール６０６は、ＰＡＰＲ結果と相互相関結果の組合せ上で、或る特定の系列指標の選択を条件付けることができる。例えば、シミュレートされたＳＳＣ（６０４）が、しきい値ＰＡＰＲより低いＰＡＰＲと、相関しきい値より低い相関とを有する場合、シミュレートされたＳＳＣ（６０４）に関連する指標が、選択されることが可能である。説明されるとおり、システム６００は、多くの事例において向上した無線伝送、および向上した信頼性をもたらす、有益なＰＡＰＲ特性および／または低い相互相関特性をもたらすために、系列行列の指標を選択するための便利な機構を提供する。
【００７３】
図７は、本開示の態様による、基地局７０２と、１つまたは複数の移動デバイス７０４とを備える例示的なシステム７００のブロック図を示す。本開示の少なくとも１つの態様では、基地局７０２は、送信される同期情報の干渉を低減するように適切なＳＳＣコードおよび／またはスクランブルコードを決定することができる。具体的には、ＳＳＣを生成して、スクランブルするため、そのようなＳＳＣに関するスクランブルコードを生成するため（例えば、３つの長さ３１のＭ系列に基づいて）、およびそのようなＳＳＣの特性に基づいて系列指標を選択するための様々な機構が、基地局７０２によって達せられることが可能である。したがって、システム７００は、移動体通信環境において１つまたは複数の移動デバイス７０４において受信されるＯＴＡメッセージに関して、向上した送信特性をもたらすことによって、向上した移動体通信を円滑にする。
【００７４】
システム７００は、複数の受信アンテナ７０６を介して１つまたは複数の移動デバイス７０４から信号を受信する受信機７１０と、送信アンテナ７０８を介して１つまたは複数の移動デバイス７０４に送信する送信機７２８とを有する基地局７０２（例えば、アクセスポイントなど）を備える。受信機７１０は、受信アンテナ７０６から情報を受信することができ、さらに基地局７０２によって供給されるＰＳＣおよび／またはＳＳＣに従って同期されたアップリンクデータを受信する信号受信者（図示せず）をさらに備えることが可能である。さらに、受信機７１０は、受信された情報を復調する復調器７１２に動作上、関連付けられることが可能である。復調されたシンボルは、同期コードおよび／またはスクランブルコードをもたらす系列行列を生成すること、ならびにＳＳＣを形成するようにそのような系列を選択すること、スクランブルすること、および／または多重化すること、当技術分野で知られている、または本明細書で与えられる文脈によって当業者に明らかとなる、本明細書で説明されるＳＳＣコードブックに従って系列を選択することと関係する情報、さらに／または本明細書で説明される様々なアクションおよび機能を実行することと関係する他の任意の適切な情報を格納するメモリ７１６に結合されたプロセッサ７１４によって分析される。
【００７５】
プロセッサ７１４は、少なくとも基本Ｍ系列、およびそのような系列の巡回シフトされた変化系列（例えば、ｎ個の巡回シフトされた変化系列）から系列行列を生成することができる論理プロセッサ７１８にさらに結合される。プロセッサ７１４は、論理プロセッサ７１８によってもたらされる系列行列の様々な系列をスクランブルすることができるデータ変換モジュール７２０にさらに結合されることが可能である。例えば、データ変換モジュール７２０は、本明細書で説明されるとおり、ＳＳＣに関係する少なくとも１つのそのような系列をスクランブルするのに、無線通信に関連するＰＳＣに基づく共通のバイナリスクランブルコードを使用することができる。
【００７６】
さらに、プロセッサ７１４は、データ変換モジュール７２０によってもたらされる少なくとも１つのスクランブルされた系列に基づいてＳＳＣを生成することができる多重化モジュール７２２に結合されることが可能である。例えば、データ変換モジュール７２０が、系列行列の基本系列をスクランブルする場合、そのスクランブルされた基本系列の任意の適切な巡回シフトされた変化系列、および／またはスクランブルされた基本系列自体が、ＳＳＣを形成するのに多重化モジュール７２２によって利用されることが可能である。ＳＳＣは、必要に応じて、２つ以上の系列をインタリーブすること、１つまたは複数の系列の繰返し、ビットの追加／切り捨てなどによって、形成されることが可能である。
【００７７】
プロセッサ７１４は、系列モジュール７２４にさらに関連付けられることが可能である。系列モジュール７２４は、論理プロセッサ７１８によってもたらされる１つまたは複数の系列からスクランブルコードを生成することができる（例えば、ＳＳＣ関連の系列を生成するのに使用される式とは異なる共通の多項式に基づいて）。一実施例では、系列モジュール７２４は、スクランブルコードを生成する、長さ６３または長さ３１の、３つの適切なＭ系列を生成することができる。これら３つのＭ系列は、例えば、基本Ｍ系列、および基本Ｍ系列の巡回シフトされた変化系列から生成されることが可能である。さらに、少なくとも一部の態様では、基本Ｍ系列の少なくとも２０の巡回シフトされた変化系列が、作成されることが可能であり、さらに３つのＭ系列は、基本Ｍ系列、第１０の巡回シフトされた変化系列、および第２０の巡回シフトされた変化系列を備えることが可能である。しかし、基本系列の他の変化系列が、使用されることが可能であり、さらに変化系列のセットの他の選択されたメンバが、スクランブルコード系列の３つ（または、例えば、他の適切な数）のために利用されることが可能であることを認識されたい。
【００７８】
基地局７０２は、送信機７２８によって送信されるＯＴＡメッセージにＳＳＣをマップすることができる変調器７２６をさらに備えることが可能である。一態様では、ＳＳＣは、ＯＦＤＭ伝送の一部の副搬送波チャネル、またはすべての副搬送波チャネルにマップされることが可能である。ＯＴＡメッセージは、送信アンテナ７０８を介して移動デバイス７０４に送信されることが可能である。基地局７０２は、共通の区域において動作するいくつかの基地局（図示せず）の計画的な展開、半計画的な展開、または無計画の展開の一部であることが可能であることを認識されたい。ＳＳＣの生成、スクランブル、および割当ては、論理プロセッサ７１８、および系列モジュール７２４、あるいはメモリ７１６の中に格納され、さらにマルチ基地局動作に関係のあるプロセッサ７１４によって実行される他の命令によって規定される所定の仕方で、基地局７０２によって実施されることが可能である。代替として、基地局７０２は、セルサイトの様々な基地局へのＳＳＣの割当てを調整するように、バックホールネットワーク（図示せず）を介して他の近辺の基地局と通信することができる。少なくとも１つの他の代替において、コード割当ては、集中エンティティ（図示されないが、前出の図３を参照）によって少なくとも部分的に規定されて、基地局７０２に供給されることが可能である。したがって、システム７００は、複数の基地局を備えたＲＡＮの一部として機能することができる。
【００７９】
図８は、移動デバイス８０２を備える例示的なシステム８００のブロック図を示す。移動デバイス８０２は、基地局８０４によって送信されるＯＴＡメッセージ内の同期情報を受信して、復号するように構成されることが可能である。移動デバイス８０２における復号プロセスは、基地局８０４によって使用される同様のプロセスの逆であることが可能である。このメッセージを受信するため、および復号するための命令は、移動デバイス８０２においてあらかじめロードされる、ＯＴＡメッセージ内に少なくとも部分的に含められる、ソフトウェア／ファームウェアパッチを介して獲得される（例えば、ネットワーク、またはコンピューティングデバイスへの接続を介して）、または以上の組合せなどであることが可能である。
【００８０】
移動体ハンドセット８０２は、信号（例えば、遠隔無線通信を円滑にすることに関係のある同期情報を備える）を受信する少なくとも１つのアンテナ８０６（例えば、入力インターフェースを備える伝送受信機、またはそのような受信機のグループ）と、受信された信号に対して通常のアクションを実行する（例えば、フィルタリングする、増幅する、ダウンコンバートするなど）受信機８０８とを含む。具体的には、アンテナ８０６および送信機８３０（ひとまとめにしてトランシーバと呼ばれる）が、基地局８０４を相手にした無線データ交換を円滑にするように構成されることが可能である。
【００８１】
アンテナ８０６および受信機８０８は、受信されたシンボルを復調して、それらのシンボルを、評価のためにプロセッサ８１２に供給することができる復調器８１０に結合されることも可能である。具体的には、復調器８１０は、受信された無線伝送から少なくとも同期情報を抽出することができる。例えば、周波数ベースの伝送の場合、復調器８１０は、無線伝送の副搬送波周波数から同期情報を抽出することができる。一態様では、同期情報は、共通のＰＳＣベースのバイナリスクランブルコードでスクランブルされた少なくとも２つの系列からさらに成る少なくとも１つのＳＳＣを備えることが可能である。信号プロセッサ８１４は、共通のＰＳＣベースのバイナリ逆スクランブルコードを使用して、受信されたＳＳＣを備える少なくとも２つの系列を解読することができる。逆スクランブルコードは、基地局８０４によって使用されるスクランブルコードと実質的に均等であることが可能であり、あるいはそのようなスクランブルコードの相手方（例えば、逆転されたスクランブルコード）であることが可能である。少なくとも１つの態様では、同期情報を復号することには、ＳＳＣに関連する、その２つの系列の第１の系列に第１の逆巡回シフトを適用し、その２つの系列の第２の系列に第２の逆巡回シフトを適用するデータプロセッサ８２０が関与する。そのような態様では、次に、信号プロセッサ８１４は、シフトされた第１の系列、およびシフトされた第２の系列に逆スクランブルコードを適用して、ＳＳＣを解読することができる。
【００８２】
受信されたＳＳＣが復号されると、論理プロセッサ８１８は、受信されたデータを送信したデバイス（８０４）に関係のあるＩＤ情報を抽出することができる。そのような情報は、受信されたデータ（例えば、ペイロード情報）をさらに復号し、さらに／または送信側デバイス（８０４）との通信を円滑にするのに利用されることが可能である。
【００８３】
プロセッサ８１２は、移動体ハンドセット８０２の１つまたは複数の構成要素（８０６、８０８、８１０、８１６、８２２）を制御し、さらに／または参照することができることを認識されたい。さらに、プロセッサ８１２は、移動デバイス８０２の機能を実行することに関係のある情報または制御を備える１つまたは複数のモジュール、アプリケーション、エンジンなど（８１４、８１８、８２０）を実行することができる。例えば、そのような機能には、前述したとおり、遠隔の送信元（８０４）からデータを受信すること、或る特定の逆スクランブルコードに基づいて、受信されたデータを復号すること、解読されたコードに関連する移動体ネットワーク送信機（８０４）を識別することなどが含まれることが可能である。
【００８４】
移動ハンドセット８０２は、プロセッサ８１２に動作上、結合されたメモリ８１６をさらに含むことが可能である。メモリ８１６は、送信されるべきデータ、受信されるべきデータなどを格納することができる。さらに、メモリ８１６は、前述の、プロセッサ８１２によって実行されるモジュール、アプリケーション、エンジンなど（８１４、８１８、８２０）を格納することができる。
【００８５】
移動体ハンドセット８０２は、変調器８２２と、例えば、基地局８０４、アクセスポイント、別のアクセス端末装置、遠隔のエージェントなどに生成された信号（例えば、プロセッサ８１２および変調器８２２によって）を送信する送信機８２４とをさらに備えることが可能である。説明されるとおり、システム８００は、基地局８０４によって供給される符号化された同期情報を受信することを円滑にし、さらにそのようなデバイス（８０２、８０４）の間の無線通信を円滑にする符号化された情報を解読することができる移動デバイス８０２を提供する。同期情報は、選択されたＳＳＣコードブックに基づいて、さらに／またはいくつかのスクランブルコードに基づいて符号化されることが可能であるため、移動デバイス８０２における、より小さい干渉、および向上した信頼性、およびより少ない電力消費が、潜在的に達せられることが可能である。
【００８６】
前述したシステムは、いくつかの構成要素、モジュール、および／または通信インターフェースの間の対話に関連して説明されてきた。そのようなシステムおよび構成要素／モジュール／インターフェースは、そのようなシステムおよび構成要素／モジュール／インターフェースにおいて指定された構成要素または部分構成要素、それらの指定された構成要素または部分構成要素のいくつか、および／またはさらなる構成要素を含むことが可能であることを認識されたい。例えば、システムは、ＳＳＣジェネレータ１０８、簡潔化モジュール５１０、および伝送プロセッサ５１２、またはこれら、およびその他の構成要素の異なる組合せを含むことも可能である。また、部分構成要素は、親構成要素内部に含められるのではなく、他の構成要素と通信するように結合された構成要素として実施されることも可能である。さらに、１つまたは複数の構成要素が組み合わされて、総合機能を提供する単一の構成要素にされることも可能であることに留意されたい。例えば、信号シミュレーションモジュール６０８は、単一の構成要素によってＳＳＣのピーク対平均電力および相互相関を算出することを円滑にするように、信号相関モジュール６１０を含むことが可能であり、あるいはそのように信号相関モジュール６１０が、信号シミュレーションモジュール６０８を含むことも可能である。また、これらの構成要素は、本明細書には明記されていないが、当業者には知られている１つまたは複数の他の構成要素と対話することも可能である。
【００８７】
さらに、理解されるとおり、前述の開示されるシステム、および後述の方法の様々な部分は、人工知能ベース、または知識ベース、または規則ベースの構成要素、部分構成要素、プロセス、手段、方法、または機構（例えば、サポートベクトルマシン、ニューラルネットワーク、エキスパートシステム、ベイズの信頼（Bayesian belief）ネットワーク、ファジーロジック、データ融合エンジン、クラシファイアなど）を含む、またはそのような構成要素、部分構成要素、プロセス、手段、方法、または機構から成ることが可能である。そのような構成要素は、とりわけ、本明細書で既に説明された構成要素に加えて、実行されるいくつかの機構またはプロセスを自動化して、システムおよび方法のいくつかの部分をより適応的にするとともに、効率的で、インテリジェントにすることができる。
【００８８】
前段で説明される例示的なシステムに鑑みて、開示される主題に従って実施されることが可能な方法は、図９〜図１１の流れ図を参照して、よりよく理解されよう。説明を簡単にするため、これらの方法は、一連のブロックとして示され、説明されるが、一部のブロックは、本明細書で示され、説明されるのとは異なる順序で、さらに／または他のブロックと同時に行われてもよいので、主張される主題は、これらのブロックの順序によって限定されないことを理解し、認識されたい。さらに、例示されるすべてのブロックが、以降に説明される方法を実施するのに要求されるわけではない可能性がある。さらに、以降、および本明細書の全体で開示される方法は、そのような方法をコンピュータに運ぶこと、および転送することを容易にするように、製造品上に格納されることが可能であることをさらに認識されたい。使用される、製造品という用語は、任意のコンピュータ可読デバイス、搬送波または記憶媒体と連携する任意のデバイスからアクセス可能なコンピュータプログラムを包含することを意図している。
【００８９】
図９は、本開示の態様による複数のＳＳＣ伝送の干渉を低減するための例示的な方法９００の流れ図を示す。方法９００は、９０２で、系列行列を生成することが可能である。系列行列は、１つまたは複数の多項式から生成されたＭ系列を備えることが可能である。本開示の少なくとも１つの態様において、Ｍ系列は、ＧＦ（２）上のｘ＾５＋ｘ＾２＋１という形態の多項式から生成される。さらに、Ｍ系列は、基本系列と、基本系列を巡回シフトすることによってもたらされるような、基本系列の様々な変化系列とを備えることが可能である。
【００９０】
９０４で、方法９００は、無線通信に関連するＰＳＣベースのスクランブルコードで少なくとも１つのＭ系列をスクランブルすることが可能である。このスクランブルコードは、例えば、ＰＳＣに関連する指標によって識別される系列に基づいて、生成されることが可能である。一態様では、スクランブルコードでスクランブルされた少なくとも１つのＭ系列は、ＳＳＣを形成するように多重化された系列のペアを備えることが可能である。Ｍ系列のペアは、そのような多重化に先立って、またはそのような多重化の後にスクランブルされることが可能である。別の態様では、前述の系列行列の基本Ｍ系列は、符号９０４でスクランブルされる少なくとも１つのＭ系列であることが可能であり、したがって、スクランブルされた基本Ｍ系列の各変化系列もやはり、スクランブルされている。したがって、系列行列は、そのような態様によるスクランブルされた系列を備える。
【００９１】
９０６で、方法９００は、スクランブルされたＭ系列に基づいて、ＳＳＣを生成することができる。前述したとおり、ＳＳＣは、所望される長さ（例えば、長さ６２）のＳＳＣを生成するのに要求されるのに応じて、複数の系列（例えば、系列ペア、系列トリプレット）を多重化すること、そのような系列の１つまたは複数のビットを切り捨てること、そのような系列の１つまたは複数のビットを繰り返すこと、または以上の組合せなどによって生成されることが可能である。９０８で、方法９００は、ＯＴＡメッセージの部分構成要素（例えば、ＯＦＤＭ伝送の副搬送波チャネル）上にＳＳＣをマップすることが可能である。
【００９２】
方法９００によって生成された、ＰＳＣベースのスクランブルコードでスクランブルされたＳＳＣは、無線通信に関する向上した干渉特性をもたらすことができる。このスクランブルコードは、ＳＳＣを生成するのに利用されるのと同一の多項式から、またはＳＳＣを生成するのに利用されるのとは異なる多項式から生成されることが可能であることを認識されたい。少なくとも１つの態様では、このスクランブルコードを生成するのに利用される多項式は、１＋ｘ＾２＋ｘ＾３＋ｘ＾４＋ｘ＾５という形態である。さらに、そのような多項式は、基本スクランブル系列を生成するのに利用されることが可能である。この基本スクランブル系列の巡回シフトされた変化系列が、スクランブル系列行列をもたらすように生成されることが可能である。本開示の１つの特定の態様では、スクランブル系列の２０個以上の巡回シフトされた変化系列が、生成され、スクランブル系列行列を形成するように基本スクランブル系列と組み合わされる。そのような態様によれば、スクランブルコードは、スクランブル系列行列の実質的に３つの系列から生成されることが可能である。例として、基本スクランブル系列、基本スクランブル系列の第１０の巡回シフトされた変化系列、および基本スクランブル系列の第２０の巡回シフトされた変化系列が、ＰＳＣベースのスクランブルコードを生成するのに利用されることが可能である。
【００９３】
図１０は、１つまたは複数の態様によるＯＴＡ  ＳＳＣ伝送をスクランブルするためのサンプル方法１０００の流れ図を示す。方法１０００は、１００２で、本明細書で説明されるとおり、系列行列を生成することが可能である。１００４で、方法１０００は、ＳＳＣを生成する２つの系列を行列から選択することが可能である。これらの系列は、選択された系列からもたらされるＳＳＣコードの特性に基づいて、選択されることが可能である。１つの特定の実施例によれば、これらの特性は、ＳＳＣコードのＰＡＰＲ、ＳＳＣコードの相互相関係数、または以上の適切な組合せを備えることが可能である。
【００９４】
１００６で、方法１０００は、これらの系列が最初に、スクランブルされるか、または多重化されるかを決定することが可能である。そのような決定は、オプションとして、ＲＡＮの優勢な無線伝送特性（例えば、無線周波数伝搬技術および／または移動体通信技術の分野で知られているとおり、マルチパス散乱、信号反射／屈折など）と併せて、もたらされるＳＳＣコードの予測される干渉特性に基づくことが可能である。これらの系列が最初に、多重化される場合、方法１０００は、１０１４に進むことが可能であり、これらの系列が最初に、スクランブルされる場合、方法１０００は、１００８に進むことが可能である。
【００９５】
１００８で、方法１０００は、本明細書で説明されるとおり（例えば、前述の方法９００を参照）、１つまたは複数の多項式から生成された系列行列からＰＳＣベースのスクランブルコードを生成することができる。１０１０で、系列行列から選択された２つの系列が、ＰＳＣベースのスクランブルコードを利用してスクランブルされることが可能である。次に、１０１２で、これらの系列が、ＳＳＣを形成するようにインタリーブされることが可能である。このＳＳＣは、ＯＴＡメッセージにマップされて、１つまたは複数の無線通信と併せて送信されることが可能である。
【００９６】
１０１４で、方法１０００は、完全な長さの系列を形成するように、系列行列から選択された２つの系列をインタリーブすることが可能である。１０１６で、完全な長さのスクランブルコードが、本明細書で説明されるとおり、生成されることが可能である。１０１８で、完全な長さの系列が、符号１０１６で生成されたスクランブルコードを使用することによってスクランブルされることが可能である。最後に、１０１８で、前述したＯＴＡメッセージにマップされることが可能なＳＳＣが、スクランブルされた、インタリーブされた系列から生成されることが可能である。
【００９７】
図１１は、少なくとも１つの態様による、スクランブルされたＳＳＣを生成するためのサンプル方法１１００の流れ図を示す。１１０２で、方法１１００は、多項式からＭ系列を生成することが可能である。この多項式は、一部の実例では、ＧＦ（２）上のｘ＾５＋ｘ＾２＋１という形態を有することが可能である。１１０４で、方法１１００は、ＰＳＣベースのスクランブルコードでＭ系列をスクランブルすることが可能である。ＰＳＣベースのスクランブルコードは、１つまたは複数のスクランブル多項式から獲得された１つまたは複数のスクランブル系列から生成されることが可能である。少なくとも１つの態様によれば、スクランブル多項式は、１＋ｘ＾２＋ｘ＾３＋ｘ＾４＋ｘ＾５という形態の単一の式を備えることが可能である。
【００９８】
１１０６で、スクランブルされたＭ系列が、スクランブルされたＭ系列のｎ個の異なるスクランブルされた変化系列を作成するようにｎ回、巡回シフトされる。スクランブルされたＭ系列と、ｎ個の異なるスクランブルされた変化系列は、スクランブルされた系列行列にまとめられることが可能である。１１０８で、このスクランブルされた系列行列のスクランブルされた系列の２つが、ＳＳＣを形成するように選択される。選択された系列は、本明細書で説明されるとおり、完全な長さのスクランブルされた系列を形成するように多重化されることが可能である。選択される２つの系列は、それらの系列から導き出されるＳＳＣの基礎をなす特性に基づくことが可能であることを認識されたい。一態様では、基礎をなす特性は、ＰＡＰＲしきい値と比べて、ＳＳＣのＰＡＰＲを備える。別の態様では、基礎をなす特性は、相関しきい値と比べて、相互相関係数を備える。さらに別の態様では、基礎をなす特性は、以上の特性の適切な組合せを備える。
【００９９】
少なくとも１つのさらなる態様では、選択される２つの系列は、所定の数の所望されるＳＳＣに基づくことが可能である。特定の実施例として、スクランブルされた系列行列が、所望されるＳＳＣコードの長さの実質的に１／２の長さの３１個のスクランブルされた系列を備える場合、前述したＰＡＰＲ特性および／または相互相関特性に基づいて、１７０または３４０の系列ペアが、選択されることが可能である。そのような仕方でＳＳＣ系列ペアを選択することは、送信される同期情報に関して、より小さい干渉をもたらして、潜在的に、受信側デバイスの電力消費を減らし、さらに移動体通信環境における全体的な通信品質を向上させることが可能である。したがって、方法１１００は、本明細書で説明されるとおり、様々な移動体通信技術に関して相当な利益をもたらすことができる。
【０１００】
図１２は、本明細書で開示されるいくつかの態様による無線通信を円滑にすることができる例示的なシステム１２００のブロック図を示す。ダウンリンク上で、アクセスポイント１２０５において、ＴＸ（送信）データプロセッサ１２１０が、トラヒックデータを受信し、フォーマットし、符号化し、インタリーブし、変調（またはシンボルマップ）し、さらに変調シンボル（「データシンボル」）をもたらす。シンボル変調器１２１５が、これらのデータシンボルおよびパイロットシンボルを受け取り、処理して、さらにシンボルのストリームをもたらす。シンボル変調器１２２０は、データシンボルおよびパイロットシンボルを多重化して、さらに多重化されたデータシンボルおよびパイロットシンボルをＴＭＴＲ（送信機ユニット）１２２０に供給する。各送信シンボルは、データシンボル、パイロットシンボル、または０の信号値であることが可能である。これらのパイロットシンボルは、各シンボル周期において絶えず送信されることが可能である。これらのパイロットシンボルは、ＦＤＭ（周波数分割多重化される）、ＯＦＤＭ（直交周波数分割多重化される）、ＴＤＭ（時分割多重化される）、ＣＤＭ（符号分割多重化される）、または以上の適切な組合せであることが可能である。
【０１０１】
ＴＭＴＲ１２２０は、シンボルのストリームを受け取って、１つまたは複数のアナログ信号に変換し、さらに無線チャネルを介して送信するのに適したダウンリンク信号を生成するように、これらのアナログ信号をさらに調整する（例えば、増幅し、フィルタリングし、さらに周波数アップコンバートする）。次に、このダウンリンク信号が、アンテナ１２２５を介して端末装置に送信される。端末装置１２３０において、アンテナ１２３５が、このダウンリンク信号を受信し、受信された信号をＲＣＶＲ（受信機ユニット）１２４０に供給する。受信機ユニット１２４０は、この受信された信号を調整し（例えば、フィルタリングし、増幅し、さらに周波数ダウンコンバージョンし）、さらにこの調整された信号をディジタル化してサンプルを獲得する。シンボル復調器１２４５が、受信されたパイロットシンボルを復調して、チャネル推定のためにプロセッサ１２５０に供給する。シンボル復調器１２４５は、プロセッサ１２５０から、ダウンリンクに関する周波数応答推定をさらに受け取り、受け取られたデータシンボルに対してデータ復調を実行して、データシンボル推定（送信されたデータシンボルの推定である）を獲得し、さらにこれらのデータシンボル推定をＲＸデータプロセッサ１２５５に供給し、プロセッサ１２５５は、これらのデータシンボル推定を復調し（すなわち、シンボル逆マップし）、逆インタリーブし、さらに復号して、送信されたトラヒックデータを回復する。シンボル復調器１２４５およびＲＸデータプロセッサ１２５５による処理は、アクセスポイント１２０５におけるシンボル変調器１２１５およびＴＸデータプロセッサ１２１０による処理に対して、それぞれ、相補的である。
【０１０２】
アップリンク上で、ＴＸデータプロセッサ１２６０が、トラヒックデータを処理し、さらにデータシンボルをもたらす。シンボル変調器１２６５が、データシンボルをパイロットシンボルと一緒に受け取り、多重化し、変調を実行し、さらにシンボルのストリームをもたらす。次に、送信機ユニット１２７０が、シンボルのストリームを受け取り、処理して、アンテナ１２３５によってアクセスポイント１２０５に送信されるアップリンク信号を生成する。具体的には、このアップリンク信号は、ＳＣ−ＦＤＭＡ要件に準拠することが可能であり、さらに本明細書で説明されるとおり、周波数ホッピング機構を含むことが可能である。
【０１０３】
アクセスポイント１２０５において、端末装置１２３０からのアップリンク信号は、アンテナ１２２５によって受信され、さらに受信機ユニット１２７５によって処理されて、サンプルが獲得される。次に、シンボル復調器１２８０が、これらのサンプルを処理して、アップリンクに関する受信されたパイロットシンボルおよびデータシンボル推定をもたらす。ＲＸデータプロセッサ１２８５が、端末装置１２３０によって送信されたトラヒックデータを回復するように、これらのデータシンボル推定を処理する。プロセッサ１２９０が、アップリンク上で送信するそれぞれの活性の端末装置に関するチャネル推定を実行する。複数の端末装置が、それらの端末装置のそれぞれの割り当てられたパイロットサブバンドセットの上で、アップリンク上で同時にパイロットを送信することが可能であり、ただし、これらのパイロットサブバンドセットは、インターレースされることが可能である。
【０１０４】
プロセッサ１２９０および１２５０が、それぞれ、アクセスポイント１２０５および端末装置１２３０における動作を指示する（例えば、制御する、調整する、管理するなど）。それぞれのプロセッサ１２９０および１２５０は、プログラムコードおよびデータを格納するメモリユニット（図示せず）に関連付けられることが可能である。また、プロセッサ１２９０および１２５０は、それぞれ、アップリンクおよびダウンリンクに関する周波数推定およびインパルス応答推定を導き出す計算を実行することもできる。
【０１０５】
多元接続システム（例えば、ＳＣ−ＦＤＭＡ、ＦＤＭＡ、ＯＦＤＭＡ、ＣＤＭＡ、ＴＤＭＡなど）の場合、複数の端末装置が、アップリンク上で同時に送信することができる。そのようなシステムの場合、パイロットサブバンドは、異なる端末装置の間で共有されることが可能である。チャネル推定技術が、各端末装置に関するパイロットサブバンドが動作バンド全体（場合により、バンド端部を除いて）にわたる事例において、使用されることが可能である。そのようなパイロットサブバンド構造が、各端末装置に関して周波数ダイバーシティを得るのに望ましい。本明細書で説明される技術は、様々な手段によって実施されることが可能である。例えば、これらの技術は、ハードウェアで、ソフトウェアで、またはハードウェアとソフトウェアの組合せで実施されることが可能である。ディジタル、アナログ、またはディジタルとアナログの両方であることが可能なハードウェア実施形態の場合、チャネル推定のために使用される処理ユニットは、１つまたは複数のＡＳＩＣ（特定用途向け集積回路）、ＤＳＰ（ディジタル信号プロセッサ）、ＤＳＰＤ（ディジタル信号処理デバイス）、ＰＬＤ（プログラマブル論理デバイス）、ＦＰＧＡ（フィールドプログラマブルゲートアレー）、プロセッサ、コントローラ、マイクロコントローラ、マイクロプロセッサ、本明細書で説明される機能を実行するように設計された他の電子ユニット、または以上の組合せの内部で実施されることが可能である。ソフトウェアの場合、実施は、本明細書で説明される機能を実行するモジュール（例えば、手順、関数など）を介することが可能である。ソフトウェアコードは、メモリユニットの中に格納されて、プロセッサ１２９０および１２５０によって実行されることが可能である。
【０１０６】
図１３、図１４、および図１５は、本開示の様々な態様を実施するための例示的なシステム１３００、１４００、１５００のブロック図を与える。システム１３００は、基本Ｍ系列、および基本Ｍ系列の巡回シフトされた変化系列から系列行列を生成するためのモジュール１３０２を備えることが可能である。基本Ｍ系列は、本明細書で説明されるとおり、多項式から生成されることが可能である。基本系列のそれぞれの巡回シフトされた変化系列のビットは、単一シフトされたビット、２重シフトされたビット、３重シフトされたビットなど、または以上の適切な組合せであることが可能である。基本系列、およびシフトされた変化系列は、モジュール１３０２によって、系列行列を形成するのに利用されることが可能である。
【０１０７】
システム１３００は、Ｍ系列の１つまたは複数をスクランブルするためのモジュール１３０４を含むことも可能である。モジュール１３０４は、Ｍ系列をスクランブルするのに、ＰＳＣベースのスクランブルコードなどのスクランブルコードを使用することができる。このスクランブルコードは、本明細書で説明されるとおり、多項式（例えば、系列行列を生成するのに使用されるのとは異なる）から基本スクランブル系列を作成することによって生成されることが可能である。基本スクランブル系列の巡回シフトされた変化系列が、生成されることが可能であり、さらに基本スクランブル系列、およびシフトされた変化系列の１つまたは複数が、スクランブルコードを生成するのに利用されることが可能である。
【０１０８】
ＳＳＣを生成するためのモジュール１３０６が、少なくとも１つのスクランブルされたＭ系列を利用して、ＳＳＣを作成することが可能である。例えば、スクランブルされたＭ系列が、ＳＳＣの所望される長さと比べた、少なくとも１つのスクランブルされたＭ系列の長さに応じて適切なように、インタリーブされる、切り捨てられる、繰り返される、または以上の組合せなどを行われることが可能である。システム１３００は、ＳＳＣをＯＴＡ伝送にマップするためのモジュール１３０８をさらに備えることが可能である。例えば、ＳＳＣのビットが、ＯＦＤＭ伝送の副搬送波チャネル、ＣＤＭＡ伝送の符号下位区分、ＴＤＭＡ伝送の時間下位区分、または統合されたシステムの適切な組合せにマップされることが可能である。説明されるとおり、システム１３００は、移動体通信環境において、より小さい干渉を示す、スクランブルされたＳＳＣコードを生成することができる。
【０１０９】
システム１４００は、本明細書で説明されるとおり、基本Ｍ系列、および基本Ｍ系列のｎ個の巡回シフトされた変化系列から系列行列を形成するためのモジュール１４０２を備えることが可能である。さらに、システム１４００は、系列行列の系列ペアに指標付けするためのモジュール１４０４を備えることが可能である。このモジュールは、系列行列の異なる各系列ペアに関して少なくとも（ｎ＋１）＾２個の指標を生成することが可能である。さらに、システム１４００は、系列ペアからもたらされるＳＳＣコードのＰＡＰＲおよび／または相関を算出するためのモジュール１４０６を備えることが可能である。モジュール１４０６は、ＰＡＰＲしきい値および／または相互相関しきい値を満たす（例えば、所望されるＰＡＰＲを下回り、さらに／または所望される相関係数を下回る）所定の数の系列ペア（例えば、実質的に１７０の系列ペア、実質的に３４０の系列ペア、または移動体サイトにおける基地局の数に少なくとも部分的に基づく他の適切な数など）を選択することが可能である。したがって、選択された系列ペアからもたらされるＳＳＣは、向上した無線伝送をもたらす、所望される伝送特性を有することが可能である。
【０１１０】
システム１５００は、無線伝送を受信するためのモジュール１５０２を備えることが可能である。モジュール１５０２は、移動体ネットワーク送信機（例えば、基地局）から１つまたは複数の無線ＯＴＡ伝送を受信することが可能である。モジュール１５０２は、１つまたは複数の無線アンテナ（例えば、無線アンテナ）、受信された信号を事前調整するための受信機などを備えることが可能である。システム１５００は、モジュール１５０２によって受信された伝送からＳＳＣを抽出するためのモジュール１５０４をさらに備えることが可能である。抽出は、当技術分野で知られているとおり、信号復調、信号調整などに基づくことが可能である。ＳＳＣを逆スクランブルするためのモジュール１５０６が、ＳＳＣを解読するのに、共通のＰＳＣベースのバイナリ逆スクランブルコードを使用することが可能である。一態様では、逆スクランブルコードは、ＳＳＣをスクランブルするのに使用されたスクランブルコード、またはそのようなスクランブルコードの変化系列（例えば、そのスクランブルコードのビットを逆転することによる）と実質的に同様であることが可能である。さらに、システム１５００は、解読されたＳＳＣから移動体ネットワーク送信機のＩＤを特定するためのモジュール１５０８を備えることが可能である。例えば、ＳＳＣに符号化された送信機ＩＤが、読み取られて、メモリの中に格納されたＩＤに対して相互参照されることが可能である。送信機ＩＤは、例えば、移動デバイスと移動体ネットワーク送信機の間の無線通信を円滑にするのに利用されることが可能である。受信された信号が、より小さい干渉を示す場合、システム１５００は、移動体通信環境において、より少ない電力消費、および向上した通信信頼性をもたらすことが可能である。
【図１】
2014150553.tif 000003
【図２】
2014150553.tif 000004
【図３】
2014150553.tif 000005
【図４】
2014150553.tif 000006
【図５】
2014150553.tif 000007
【図６】
2014150553.tif 000008
【図７】
2014150553.tif 000009
【図８】
2014150553.tif 000010
【図９】
2014150553.tif 000011
【図１０】
2014150553.tif 000012
【図１１】
2014150553.tif 000013
【図１２】
2014150553.tif 000014
【図１３】
2014150553.tif 000015
【図１４】
2014150553.tif 000016
【図１５】
2014150553.tif 000017
【手続補正書】
【提出日】平成26年4月18日(2014.4.18)
【手続補正１】
【補正対象書類名】明細書
【補正対象項目名】０１１０
【補正方法】変更
【補正の内容】
【０１１０】
システム１５００は、無線伝送を受信するためのモジュール１５０２を備えることが可能である。モジュール１５０２は、移動体ネットワーク送信機（例えば、基地局）から１つまたは複数の無線ＯＴＡ伝送を受信することが可能である。モジュール１５０２は、１つまたは複数の無線アンテナ（例えば、無線アンテナ）、受信された信号を事前調整するための受信機などを備えることが可能である。システム１５００は、モジュール１５０２によって受信された伝送からＳＳＣを抽出するためのモジュール１５０４をさらに備えることが可能である。抽出は、当技術分野で知られているとおり、信号復調、信号調整などに基づくことが可能である。ＳＳＣを逆スクランブルするためのモジュール１５０６が、ＳＳＣを解読するのに、共通のＰＳＣベースのバイナリ逆スクランブルコードを使用することが可能である。一態様では、逆スクランブルコードは、ＳＳＣをスクランブルするのに使用されたスクランブルコード、またはそのようなスクランブルコードの変化系列（例えば、そのスクランブルコードのビットを逆転することによる）と実質的に同様であることが可能である。さらに、システム１５００は、解読されたＳＳＣから移動体ネットワーク送信機のＩＤを特定するためのモジュール１５０８を備えることが可能である。例えば、ＳＳＣに符号化された送信機ＩＤが、読み取られて、メモリの中に格納されたＩＤに対して相互参照されることが可能である。送信機ＩＤは、例えば、移動デバイスと移動体ネットワーク送信機の間の無線通信を円滑にするのに利用されることが可能である。受信された信号が、より小さい干渉を示す場合、システム１５００は、移動体通信環境において、より少ない電力消費、および向上した通信信頼性をもたらすことが可能である。
以下に、本願出願の当初の特許請求の範囲に記載された発明を付記する。
［Ｃ１］
無線通信のためのＳＳＣ（二次同期コード）を生成するための方法であって、
基本Ｍ系列、および前記基本Ｍ系列の巡回シフトされた変化系列から系列行列を生成すること、
前記系列行列の少なくとも１つのＭ系列を、前記無線通信に関連するＰＳＣ（一次同期コード）に基づく共通のバイナリスクランブルコードでスクランブルすること、
前記少なくとも１つのスクランブルされたＭ系列に基づいてＳＳＣを生成すること、および
前記ＳＳＣを、ＯＦＤＭ（直交周波数分割多重）伝送の副搬送波チャネル上にマップすることを備える方法。
［Ｃ２］
長さ６２の系列にそれぞれ切り捨てられた複数の長さ６３のＭ系列を使用すること、または
長さ６２の系列を形成するようにそれぞれ繰り返される複数の長さ３１のＭ系列を使用することの少なくともいずれかによって前記共通のバイナリスクランブルコードを生成することをさらに備えるＣ１に記載の方法。
［Ｃ３］
共通の多項式から生成された１つまたは複数のＭ系列から前記スクランブルコードを生成することをさらに備えるＣ１に記載の方法。
［Ｃ４］
異なる多項式から前記スクランブルコードＭ系列を生成することをさらに備えるＣ１に記載の方法。
［Ｃ５］
前記１つまたは複数の系列から基本スクランブル系列を生成すること、
前記基本スクランブル系列から巡回シフトされた系列のセットを定義すること、および
前記共通のバイナリスクランブルコードを形成するように前記基本スクランブル系列から複数の異なるスクランブルコードを選択することをさらに備えるＣ３に記載の方法。
［Ｃ６］
巡回シフトされた系列の前記セットを定義することは、前記基本スクランブル系列に加えて、少なくとも２０個の巡回シフトされた系列を生成することをさらに備えるＣ５に記載の方法。
［Ｃ７］
前記３つの異なるスクランブルコードを選択することは、前記基本スクランブル系列、第１０の巡回シフトされた系列、および第２０の巡回シフトされた系列を選択することをさらに備えるＣ５に記載の方法。
［Ｃ８］
前記ＳＳＣを生成することは、
前記系列行列から２つのＭ系列を選択すること、
長さ６２の系列を形成するように前記選択されたＭ系列をインタリーブすること、および
前記長さ６２の系列に前記共通のバイナリスクランブルコードを適用することをさらに備えるＣ１に記載の方法。
［Ｃ９］
前記ＳＳＣを生成することは、
前記系列行列から２つのＭ系列を選択すること、
前記選択されたＭ系列に前記共通のバイナリスクランブルコードを適用して２つのスクランブルされたＭ系列を獲得すること、および
長さ６２の系列を形成するように前記２つのスクランブルされたＭ系列をインタリーブすることをさらに備えるＣ１に記載の方法。
［Ｃ１０］
前記系列行列を生成することは、前記基本Ｍ系列に前記共通のバイナリスクランブルコードを適用して、前記少なくとも１つのスクランブルされたＭ系列をもたらすことをさらに備えるＣ１に記載の方法。
［Ｃ１１］
前記ＳＳＣを生成することは、
前記スクランブルされた基本Ｍ系列に２つの異なる巡回シフトを適用して、２つのスクランブルされたＭ系列を生成すること、および
長さ６２の系列を形成するように前記２つのスクランブルされたＭ系列をインタリーブすることをさらに備えるＣ１０に記載の方法。
［Ｃ１２］
無線通信のためのＳＳＣを生成するための装置であって、
基本Ｍ系列、および前記基本Ｍ系列の巡回シフトされた変化系列から系列行列を生成する論理プロセッサと、
前記行列の少なくとも１つの系列を、前記無線通信に関連するＰＳＣに基づく共通のバイナリスクランブルコードでスクランブルするデータ変換モジュールと、
前記少なくとも１つのスクランブルされた系列に基づいてＳＳＣを生成する多重化モジュールと、
前記ＳＳＣを、ＯＦＤＭ伝送の副搬送波チャネル上にマップする伝送プロセッサとを備える装置。
［Ｃ１３］
共通の多項式から導き出された系列から前記スクランブルコードを生成する系列モジュールをさらに備えるＣ１２に記載の装置。
［Ｃ１４］
前記系列モジュールは、長さ６２の系列にそれぞれ切り捨てられた複数の長さ６３のＭ系列、または長さ６２の系列を形成するようにそれぞれ繰り返される複数の長さ３１のＭ系列の少なくともいずれかから前記スクランブルコードを生成するＣ１３に記載の装置。
［Ｃ１５］
前記論理プロセッサは、前記共通の多項式とは異なる多項式から前記基本Ｍ系列を導き出すＣ１３に記載の装置。
［Ｃ１６］
前記系列モジュールは、前記導き出された系列から基本スクランブル系列を生成し、前記基本スクランブル系列から巡回シフトされた系列のセットを定義し、さらに前記共通のバイナリスクランブルコードを形成するように複数の異なるスクランブルコードを、前記基本スクランブル系列から選択するＣ１３に記載の装置。
［Ｃ１７］
前記系列モジュールは、前記基本スクランブル系列に加えて、巡回シフトされた系列の前記セットを定義する少なくとも２０個の巡回シフトされた系列を生成するＣ１６に記載の装置。
［Ｃ１８］
前記３つの異なるスクランブルコードは、前記基本スクランブル系列、第１０の巡回シフトされた系列、および第２０の巡回シフトされた系列を備えるＣ１６に記載の装置。
［Ｃ１９］
前記論理プロセッサは、前記系列行列から２つのＭ系列を選択し、
前記多重化モジュールは、スクランブルされていない長さ６２の系列を形成するように前記選択されたＭ系列をインタリーブし、さらに
前記データ変換モジュールは、前記長さ６２の系列に前記共通のバイナリスクランブルコードを適用するＣ１２に記載の装置。
［Ｃ２０］
前記論理プロセッサは、前記系列行列から２つのＭ系列を選択し、
前記データ変換モジュールは、前記選択されたＭ系列に前記共通のバイナリスクランブルコードを適用して、２つのスクランブルされたＭ系列を獲得し、
前記多重化モジュールは、長さ６２の系列を形成するように前記２つのスクランブルされたＭ系列をインタリーブするＣ１２に記載の装置。
［Ｃ２１］
前記データ変換モジュールは、前記基本Ｍ系列に前記共通のバイナリスクランブルコードを適用して、少なくとも１つのスクランブルされたＭ系列をもたらし、さらに前記系列行列を生成するＣ１２に記載の装置。
［Ｃ２２］
前記論理プロセッサは、前記スクランブルされた基本Ｍ系列に２つの異なる巡回シフトを適用して、２つのスクランブルされたＭ系列を生成し、さらに前記ＳＳＣを生成する長さ６２の系列を形成するように前記２つのスクランブルされたＭ系列をインタリーブするＣ２１に記載の装置。
［Ｃ２３］
無線通信のためのＳＳＣを生成するための装置であって、
基本Ｍ系列、および前記基本Ｍ系列の巡回シフトされた変化系列から系列行列を生成するための手段と、
前記行列の少なくとも１つの系列を、前記無線通信に関連するＰＳＣに基づく共通のバイナリスクランブルコードでスクランブルするための手段と、
前記少なくとも１つのスクランブルされた系列に基づいてＳＳＣを生成するための手段と、
前記ＳＳＣを、ＯＦＤＭ伝送の副搬送波チャネル上にマップするための手段とを備える装置。
［Ｃ２４］
無線通信のためのＳＳＣを生成するように構成されたプロセッサであって、
基本Ｍ系列、および前記基本Ｍ系列の巡回シフトされた変化系列から系列行列を生成する第１のモジュールと、
前記行列の少なくとも１つの系列を、前記無線通信に関連するＰＳＣに基づく共通のバイナリスクランブルコードでスクランブルする第２のモジュールと、
前記少なくとも１つのスクランブルされた系列に基づいてＳＳＣを生成する第３のモジュールと、
前記ＳＳＣを、ＯＦＤＭ伝送の副搬送波チャネル上にマップする第４のモジュールとを備えるプロセッサ。
［Ｃ２５］
無線通信のためのＳＳＣを生成するように構成されたコンピュータ可読命令を備えるコンピュータ可読媒体であって、
前記命令は、基本Ｍ系列、および前記基本Ｍ系列の巡回シフトされた変化系列から系列行列を生成し、前記行列の少なくとも１つの系列を、前記無線通信に関連するＰＳＣに基づく共通のバイナリスクランブルコードでスクランブルし、前記少なくとも１つのスクランブルされた系列に基づいてＳＳＣを生成し、さらに前記ＳＳＣを、ＯＦＤＭ伝送の副搬送波チャネル上にマップするように少なくとも１つのコンピュータによって実行可能である媒体。
［Ｃ２６］
無線ネットワークサイトに関して異なるＳＳＣを選択する方法であって、
基本Ｍ系列、および前記基本Ｍ系列のｎ個の巡回シフトされた系列から系列行列を形成すること、
前記系列行列の異なる系列ペアに実質的に（ｎ＋１）＾２個の指標の１つを割り当てること、および
前記系列ペアからもたらされるＳＳＣの電力特性または信号相関特性に少なくとも部分的に基づいて、系列ペアを選択することとを備える方法。
［Ｃ２７］
１７０個または３４０個の指標付けされた系列ペアを選択すること、各系列ペアから異なるＳＳＣを生成すること、および前記無線ネットワークサイトの基地局に２つ以上の異なるＳＳＣを割り当てることをさらに備えるＣ２６に記載の方法。
［Ｃ２８］
前記基本Ｍ系列、および前記ｎ個の巡回シフトされた系列のために長さ３１の系列を使用することをさらに備えるＣ２６に記載の方法。
［Ｃ２９］
ｒ＝ｕ＊ｎ＋ｖという形態のアルゴリズムを使用して、前記実質的に（ｎ＋１）＾２個の指標を生成することをさらに備え、ただし、ｒは、０から（ｎ＋１）＾２までの整数であり、さらにｕおよびｖは、セット｛０，．．．ｎ｝からそれぞれ選択された系列であるＣ２６に記載の方法。
［Ｃ３０］
前記系列ペアからもたらされる前記ＳＳＣのＰＡＰＲ（ピーク対平均電力比）を算出すること、および前記ＰＡＰＲをしきい値と比較することをさらに備えるＣ２６に記載の方法。
［Ｃ３１］
前記ＰＡＰＲと前記しきい値の前記比較を部分的に前記系列ペアを選択することの条件とすることをさらに備えるＣ３０に記載の方法。
［Ｃ３２］
前記系列ペアからもたらされる前記ＳＳＣの相互相関係数を算出すること、および前記係数をしきい値と比較することをさらに備えるＣ２６に記載の方法。
［Ｃ３３］
前記係数と前記しきい値の前記比較を部分的に前記系列ペアを選択することの条件とすることをさらに備えるＣ３２に記載の方法。
［Ｃ３４］
前記ＳＳＣの相互相関係数およびＰＡＰＲを算出すること、および前記相互相関係数を相関しきい値と比較し、さらに前記ＰＡＰＲを電力しきい値と比較することをさらに備えるＣ２６に記載の方法。
［Ｃ３５］
前記ＰＡＰＲが、前記電力しきい値より低いこと、および前記相互相関係数が、前記相関しきい値より低いことを部分的に前記系列ペアを選択することの条件とすることをさらに備えるＣ２６に記載の方法。
［Ｃ３６］
無線ネットワークサイトに関して異なるＳＳＣを選択する装置であって、
基本Ｍ系列、および前記基本Ｍ系列のｎ個の巡回シフトされた系列から系列行列を形成する論理プロセッサと、
前記系列行列の異なる系列ペアに実質的に（ｎ＋１）＾２個の指標の１つを割り当てる指標付けモジュールと、
しきい値電力またはしきい値信号相関とそれぞれ比較した、前記系列ペアからもたらされるＳＳＣのＰＡＰＲまたは信号相関に少なくとも部分的に基づいて、系列ペアを選択する簡潔化モジュールを備える装置。
［Ｃ３７］
前記簡潔化モジュールは、１７０個または３４０個の指標付けされた系列ペアを選択し、各系列ペアから異なるＳＳＣを生成し、さらに前記無線ネットワークサイトの基地局に１つまたは複数の異なるＳＳＣを割り当てるＣ３６に記載の装置。
［Ｃ３８］
前記論理プロセッサは、前記基本Ｍ系列、および前記ｎ個の巡回シフトされた系列のために長さ３１の系列を使用するＣ３６に記載の装置。
［Ｃ３９］
前記指標付けモジュールは、ｒ＝ｕ＊ｎ＋ｖという形態のアルゴリズムを使用して、前記実質的に（ｎ＋１）＾２個の指標を生成し、ただし、ｒは、０から（ｎ＋１）＾２までの整数であり、さらにｕおよびｖは、セット｛０，．．．ｎ｝からそれぞれ選択される系列であるＣ３６に記載の装置。
［Ｃ４０］
前記系列ペアからもたらされる前記ＳＳＣのＰＡＰＲ（ピーク対平均電力比）を算出し、さらに前記ＰＡＰＲをしきい値と比較する信号シミュレーションモジュールをさらに備えるＣ３６に記載の装置。
［Ｃ４１］
前記簡潔化モジュールは、前記ＰＡＰＲと前記しきい値の前記比較を部分的に前記系列ペアを選択することの条件とするＣ４０に記載の装置。
［Ｃ４２］
前記系列ペアからもたらされる前記ＳＳＣの相互相関係数を算出し、さらに前記係数をしきい値と比較する信号相関モジュールをさらに備えるＣ３６に記載の装置。
［Ｃ４３］
前記簡潔化モジュールは、前記係数と前記しきい値の前記比較を部分的に前記系列ペアを選択することの条件とするＣ４２に記載の装置。
［Ｃ４４］
前記ＳＳＣの相互相関係数を算出し、さらに前記相互相関係数を相関しきい値と比較する信号相関モジュールと、
前記ＳＳＣのＰＡＰＲを算出し、さらに前記ＰＡＰＲを電力しきい値と比較する測定モジュールとをさらに備えるＣ３６に記載の装置。
［Ｃ４５］
前記簡潔化モジュールは、前記ＰＡＰＲが、前記電力しきい値より低いこと、および前記相互相関係数が、前記相関しきい値より低いことを部分的に前記系列ペアを選択することの条件とするＣ４４に記載の装置。
［Ｃ４６］
無線ネットワークサイトに関して異なるＳＳＣを選択する装置であって、
基本Ｍ系列、および前記基本Ｍ系列のｎ個の巡回シフトされた系列から系列行列を形成するための手段と、
前記系列行列の異なる系列ペアに実質的に（ｎ＋１）＾２個の指標の１つを割り当てるための手段と、
前記系列ペアからもたらされるスクランブルされたＳＳＣの電力または信号相関に少なくとも部分的に基づいて、系列ペアを選択するための手段と、
前記選択された系列ペアをＰＳＣベースのスクランブルコードでスクランブルするための手段とを備える装置。
［Ｃ４７］
無線ネットワークサイトに関して異なるＳＳＣを選択するように構成されたプロセッサであって、
基本Ｍ系列、および前記基本Ｍ系列のｎ個の巡回シフトされた系列から系列行列を形成する第１のモジュールと、
前記系列行列の異なる系列ペアに実質的に（ｎ＋１）＾２個の指標の１つを割り当てる第２のモジュールと、
前記系列ペアからもたらされるスクランブルされたＳＳＣのＰＡＰＲまたは信号相関に少なくとも部分的に基づいて、系列ペアを選択する第３のモジュールと、
前記選択された系列ペアをＰＳＣベースのスクランブルコードでスクランブルする第４のモジュールとを備えるプロセッサ。
［Ｃ４８］
無線ネットワークサイトに関して異なるＳＳＣを選択するように構成されたコンピュータ可読命令を備えるコンピュータ可読媒体であって、
前記命令は、基本Ｍ系列、および前記基本Ｍ系列のｎ個の巡回シフトされた系列から系列行列を形成し、前記系列行列の異なる系列ペアに実質的に（ｎ＋１）＾２個の指標の１つを割り当て、前記系列ペアからもたらされるスクランブルされたＳＳＣの電力または信号相関に少なくとも部分的に基づいて、系列ペアを選択し、さらに前記選択された系列ペアをＰＳＣベースのスクランブルコードでスクランブルするように少なくとも１つのコンピュータによって実行可能である媒体。
［Ｃ４９］
無線通信を行う方法であって、
移動体ネットワーク送信機から無線伝送を受信すること、
前記無線伝送から、共通のＰＳＣベースのバイナリスクランブルコードでスクランブルされた少なくとも２つの系列から成るＳＳＣを抽出すること、
共通のＰＳＣベースのバイナリ逆スクランブルコードを使用して前記ＳＳＣを解読すること、および
前記解読されたＳＳＣから前記移動体ネットワーク送信機のＩＤを特定することを備える方法。
［Ｃ５０］
前記逆スクランブルコードを使用して前記ＳＳＣを解読することに先立って、前記無線伝送の副搬送波周波数から前記ＳＳＣを抽出することをさらに備えるＣ４９に記載の方法。
［Ｃ５１］
前記逆スクランブルコードを使用して前記ＳＳＣを解読することに先立って、前記抽出されたＳＳＣを逆インタリーブすることをさらに備えるＣ４９に記載の方法。
［Ｃ５２］
前記抽出されたＳＳＣを逆インタリーブすることから第１の系列および第２の系列を獲得すること、および
前記第１の系列および前記第２の系列に前記逆スクランブルコードを適用して前記ＳＳＣを解読することをさらに備えるＣ５１に記載の方法。
［Ｃ５３］
前記共通のＰＳＣベースのバイナリ逆スクランブルコードとして、前記共通のＰＳＣベースのバイナリスクランブルコード、またはそのようなスクランブルコードの変化系列を使用することをさらに備えるＣ４９に記載の方法。
［Ｃ５４］
無線通信を行うための装置であって、
移動体ネットワーク送信機から無線伝送を受信するアンテナと、
前記無線伝送から、共通のＰＳＣベースのバイナリスクランブルコードでスクランブルされた少なくとも２つの系列から成るＳＳＣを抽出する復調器と、
共通のＰＳＣベースのバイナリ逆スクランブルコードを使用して前記ＳＳＣを解読する信号プロセッサと、
前記解読されたＳＳＣから前記移動体ネットワーク送信機のＩＤを特定する論理プロセッサとを備える方法。
［Ｃ５５］
前記復調器は、前記無線伝送の副搬送波周波数から前記ＳＳＣを抽出するＣ５４に記載の装置。
［Ｃ５６］
前記信号プロセッサは、前記逆スクランブルコードを使用して前記ＳＳＣを解読することに先立って、前記抽出されたＳＳＣを逆インタリーブし、前記逆インタリーブされたＳＳＣは、第１の系列と、第２の系列とを備えるＣ５４に記載の装置。
［Ｃ５７］
前記信号プロセッサは、前記第１の系列および前記第２の系列に前記逆スクランブルコードを適用して前記ＳＳＣを解読するＣ５５に記載の装置。
［Ｃ５８］
前記信号プロセッサは、前記共通のＰＳＣベースのバイナリ逆スクランブルコードとして、前記共通のＰＳＣベースのバイナリスクランブルコード、またはそのようなスクランブルコードの変化系列を使用するＣ５４に記載の装置。
［Ｃ５９］
無線通信を行う装置であって、
移動体ネットワーク送信機から無線伝送を受信するための手段と、
前記無線伝送から、共通のＰＳＣベースのバイナリスクランブルコードでスクランブルされた少なくとも２つの系列から成るＳＳＣを抽出するための手段と、
共通のＰＳＣベースのバイナリ逆スクランブルコードを使用して前記ＳＳＣを解読するための手段と、
前記解読されたＳＳＣから前記移動体ネットワーク送信機のＩＤを特定するための手段とを備える装置。
［Ｃ６０］
無線通信を行うように構成されたプロセッサであって、
移動体ネットワーク送信機から無線伝送を受信する第１のモジュールと、
前記無線伝送から、共通のＰＳＣベースのバイナリスクランブルコードでスクランブルされた少なくとも２つの系列から成るＳＳＣを抽出する第２のモジュールと、
共通のＰＳＣベースのバイナリ逆スクランブルコードを使用して前記ＳＳＣを解読する第３のモジュールと、
前記解読されたＳＳＣから前記移動体ネットワーク送信機のＩＤを特定する第４のモジュールとを備えるプロセッサ。
［Ｃ６１］
無線通信を行うように構成されたコンピュータ可読命令を備えるコンピュータ可読媒体であって、
前記命令は、移動体ネットワーク送信機から無線伝送を受信し、前記無線伝送から、共通のＰＳＣベースのバイナリスクランブルコードでスクランブルされた少なくとも２つの系列から成るＳＳＣを抽出し、共通のＰＳＣベースのバイナリ逆スクランブルコードを使用して前記ＳＳＣを解読し、さらに前記解読されたＳＳＣから前記移動体ネットワーク送信機のＩＤを特定するように少なくとも１つコンピュータによって実行可能である媒体。
【手続補正２】
【補正対象書類名】特許請求の範囲
【補正対象項目名】全文
【補正方法】変更
【補正の内容】
【特許請求の範囲】
【請求項１】
無線通信のためのＳＳＣ（二次同期コード）を生成するための方法であって、
基本Ｍ系列、および前記基本Ｍ系列の巡回シフトされた変化系列から系列行列を生成すること、
前記系列行列の少なくとも１つのＭ系列を、前記無線通信に関連するＰＳＣ（一次同期コード）に基づく共通のバイナリスクランブルコードでスクランブルすること、
前記少なくとも１つのスクランブルされたＭ系列に基づいてＳＳＣを生成すること、および
前記ＳＳＣを、ＯＦＤＭ（直交周波数分割多重）伝送の副搬送波チャネル上にマップすることを備える方法。
【外国語明細書】
2014150553000001.pdf